(57)【要約】  ガラス処理装置は、第１の表面を備える上流アプリケータを備える。上記第１の表面は、上記第１の表面が上記ガラス処理装置の移動経路内に、上記移動経路の移動方向にわたって延在し、かつ上記移動方向に対向する下流方向を向いた状態で存在する、第１の上流位置と、上記第１の表面が上記移動経路の外側に存在できる第２の上流位置との間で、移動可能である。更に、上記ガラス処理装置を用いてガラスリボンを処理する方法が開示される。
2022500342.tif 000002
【特許請求の範囲】
【請求項１】
ガラス処理装置であって、前記ガラス処理装置は、第１の表面を備える上流アプリケータを備え、前記第１の表面は、前記第１の表面が前記ガラス処理装置の移動経路内に、前記移動経路の移動方向にわたって延在し、かつ前記移動方向に対向する下流方向を向いた状態で、存在する、第１の上流位置と、前記第１の表面が前記移動経路の外側に存在する第２の上流位置との間で、移動可能である、ガラス処理装置。
【請求項２】
前記上流アプリケータの前記第１の表面は、前記第１の上流位置と前記第２の上流位置との間で回転可能である、請求項１に記載のガラス処理装置。
【請求項３】
第２の表面を備える下流アプリケータを更に備え、前記第２の表面は、前記第２の表面が前記移動経路内に、前記移動経路の前記移動方向にわたって延在し、かつ前記移動方向において上流方向を向いた状態で、存在する、第１の下流位置と、前記移動経路の外側である第２の下流位置との間で、移動可能である、請求項１又は２に記載のガラス処理装置。
【請求項４】
前記下流アプリケータの前記第２の表面は、前記第１の下流位置と前記第２の下流位置との間で回転可能である、請求項３に記載のガラス処理装置。
【請求項５】
前記上流アプリケータの前記第１の表面は、前記下流アプリケータの前記第２の表面と平行である、請求項１〜４のいずれか１項に記載のガラス処理装置。
【請求項６】
側面アプリケータを更に備える、請求項１〜５のいずれか１項に記載のガラス処理装置。
【請求項７】
請求項１又は３に記載のガラス処理装置を用いて、ガラスリボンを成形する方法であって、前記方法は：
ガラスリボンを前記移動経路の前記移動方向に沿って移動させるステップ；
上流縁部を、前記第１の上流位置に位置決めされた前記上流アプリケータの前記第１の表面に係合させることによって、前記ガラスリボンの前記上流縁部に上流処理液を塗布するステップ；
前記上流アプリケータを前記第２の上流位置に移動させるステップ；及び
前記上流アプリケータを前記第２の上流位置に位置決めした状態のまま、前記ガラスリボンを前記上流アプリケータの前記第１の表面に係合させることなく、前記ガラスリボンを前記移動経路の前記移動方向に沿って移動させ続けるステップ
を含む、方法。
【請求項８】
前記上流処理液を塗布する前記ステップの間又は前に、前記第１の表面を前記第２の上流位置から前記第１の上流位置へと回転させるステップを更に含む、請求項７に記載の方法。
【請求項９】
前記上流アプリケータを前記第２の上流位置に移動させる前記ステップ中に、前記上流アプリケータの前記第１の表面を前記第１の上流位置から前記第２の上流位置へと回転させるステップを更に含む、請求項７又は８に記載の方法。
【請求項１０】
前記下流縁部を、前記第１の下流位置に位置決めされた前記下流アプリケータの前記第２の表面に係合させることによって、下流処理液を前記ガラスリボンの下流縁部に塗布するステップを更に含む、請求項７〜９のいずれか１項に記載の方法。
【請求項１１】
前記下流処理液を塗布する前記ステップの間又は前に、前記第２の表面を前記第２の下流位置から前記第１の下流位置に移動させるステップを更に含む、請求項１０に記載の方法。
【請求項１２】
前記第２の表面を前記第２の下流位置から前記第１の下流位置に移動させる前記ステップの間に、前記下流アプリケータの前記第２の表面を前記第２の下流位置から前記第１の下流位置へと回転させるステップを更に含む、請求項１１に記載の方法。
【請求項１３】
前記第２の表面を前記第２の下流位置から前記第１の下流位置に移動させる前記ステップにより、前記第１の表面が前記上流処理液を前記ガラスリボンの前記上流縁部に塗布するように、前記ガラスリボンの前記上流縁部を、前記第１の上流位置に位置決めされた前記上流アプリケータの前記第１の表面に係合させることができる、請求項１１又は１２に記載の方法。
【発明の詳細な説明】
【関連出願の相互参照】
【０００１】
本出願は、２０１８年９月１４日出願の米国仮特許出願第６２／７３１，１８５号の優先権の利益を主張するものであり、上記仮特許出願の内容は依拠され、参照によりその全体が以下に完全に記載されているかのように本出願に援用される。
【技術分野】
【０００２】
本開示は一般にガラスリボンを処理するための方法に関し、より詳細には、１つ以上のアプリケータを備えるガラス処理装置でガラスリボンを処理するための方法に関する。
【背景技術】
【０００３】
ガラスリボンを酸で処理して、望ましくない粒子を削減することが知られている。これらの望ましくない粒子は、ガラス製造プロセス中にガラスリボンの１つ以上の縁部に形成され得る。更に上記望ましくない粒子は、ガラス表面に移動する場合があり、これは表面品質に関する問題を引き起こす。処理の一貫性のなさは、ガラスリボンを酸に浸漬することに起因し得る。更に酸は、いくつかの設備の寿命の短縮につながる場合がある。
【発明の概要】
【発明が解決しようとする課題】
【０００４】
これより、本開示の簡潔な概要を提示することにより、「発明を実施するための形態」に記載されているいくつかの実施形態の基礎的な理解を提供する。
【課題を解決するための手段】
【０００５】
いくつかの実施形態によると、ガラス処理装置は、第１の表面を備えることができる上流アプリケータを備えることができる。上記第１の表面は、上記第１の表面が上記ガラス処理装置の移動経路内に、上記移動経路の移動方向にわたって延在し、かつ上記移動方向に対向する下流方向を向いた状態で、存在できる第１の上流位置と、上記第１の表面が上記移動経路の外側に存在できる第２の上流位置との間で、移動可能とすることができる。
【０００６】
いくつかの実施形態では、上記上流アプリケータの上記第１の表面は、上記第１の上流位置と上記第２の上流位置との間で回転可能とすることができる。
【０００７】
いくつかの実施形態では、上記ガラス処理装置は更に、第２の表面を備えることができる下流アプリケータを備えることができる。上記第２の表面は、上記第２の表面が上記移動経路内に、上記移動経路の上記移動方向にわたって延在し、かつ上記移動方向において上流方向を向いた状態で、存在できる第１の下流位置と、上記移動経路の外側となることができる第２の下流位置との間で、移動可能とすることができる。
【０００８】
いくつかの実施形態では、上記下流アプリケータの上記第２の表面は、上記第１の下流位置と上記第２の下流位置との間で回転可能とすることができる。
【０００９】
いくつかの実施形態では、上記上流アプリケータの上記第１の表面は、上記下流アプリケータの上記第２の表面と平行とすることができる。
【００１０】
いくつかの実施形態では、ガラス処理装置は、第２の表面を備えることができる下流アプリケータを備えることができる。上記第２の表面は、上記第２の表面が上記ガラス処理装置の移動経路内に、上記移動経路の移動方向にわたって延在し、かつ上記移動方向において上流方向を向いた状態で、存在できる第１の下流位置と、上記移動経路の外側となることができる第２の下流位置との間で、移動可能とすることができる。
【００１１】
いくつかの実施形態では、上記下流アプリケータの上記第２の表面は、上記第１の下流位置と上記第２の下流位置との間で回転可能とすることができる。
【００１２】
いくつかの実施形態では、上記ガラス処理装置は、側面アプリケータを備えることができる。
【００１３】
いくつかの実施形態では、上記側面アプリケータは、上記移動方向を横断して延在する横方向を向いた、チャネルを備えることができる。
【００１４】
いくつかの実施形態では、上記側面アプリケータは、回転軸の周りで回転可能な側方表面を備えることができる。
【００１５】
いくつかの実施形態では、上記側面アプリケータは、上記移動方向を横断して延在する横方向を向いた、上記下流アプリケータの上記第２の表面に対して平行な、側方表面を備えることができる。
【００１６】
いくつかの実施形態では、上記ガラス処理装置を用いてガラスリボンを成形する方法は、ガラスリボンを上記移動経路の上記移動方向に沿って移動させるステップを含むことができる。方法は、上流縁部を、上記第１の上流位置に位置決めされた上記上流アプリケータの上記第１の表面に係合させることによって、上記ガラスリボンの上記上流縁部に上流処理液を塗布するステップを含むことができる。方法は、上記上流アプリケータを上記第２の上流位置に移動させるステップを含むことができる。方法は、上記上流アプリケータを上記第２の上流位置に位置決めできる状態のまま、上記ガラスリボンを上記上流アプリケータの上記第１の表面に係合させることなく、上記ガラスリボンを上記移動経路の上記移動方向に沿って移動させ続けるステップを含むことができる。
【００１７】
いくつかの実施形態では、方法は更に、上記上流処理液を塗布する上記ステップの間又は前に、上記第１の表面を上記第２の上流位置から上記第１の上流位置へと回転させるステップを含むことができる。
【００１８】
いくつかの実施形態では、方法は更に、上記上流アプリケータを上記第２の上流位置に移動させる上記ステップ中に、上記上流アプリケータの上記第１の表面を上記第１の上流位置から上記第２の上流位置へと回転させるステップを含むことができる。
【００１９】
いくつかの実施形態では、方法は更に、上記下流縁部を、上記第１の下流位置に位置決めされた上記下流アプリケータの上記第２の表面に係合させることによって、下流処理液を上記ガラスリボンの下流縁部に塗布するステップを含むことができる。
【００２０】
いくつかの実施形態では、方法は更に、上記下流処理液を塗布する上記ステップの間又は前に、上記第２の表面を上記第２の下流位置から上記第１の下流位置に移動させるステップを含むことができる。
【００２１】
いくつかの実施形態では、方法は更に、上記第２の表面を上記第２の下流位置から上記第１の下流位置に移動させる上記ステップの間に、上記下流アプリケータの上記第２の表面を上記第２の下流位置から上記第１の下流位置へと回転させるステップを含むことができる。
【００２２】
いくつかの実施形態では、上記第２の表面を上記第２の下流位置から上記第１の下流位置に移動させる上記ステップにより、上記第１の表面が上記上流処理液を上記ガラスリボンの上記上流縁部に塗布するように、上記ガラスリボンの上記上流縁部を、上記第１の上流位置に位置決めされた上記上流アプリケータの上記第１の表面に係合させることができる。
【００２３】
いくつかの実施形態では、上記ガラス処理装置を用いてガラスリボンを処理する方法は、上記下流縁部を、上記第１の下流位置に位置決めされた上記下流アプリケータの上記第２の表面に係合させることによって、下流処理液を上記ガラスリボンの下流縁部に塗布するステップを含むことができる。
【００２４】
いくつかの実施形態では、方法は、上記下流処理液を塗布する上記ステップの間又は前に、上記第２の表面を上記第２の下流位置から上記第１の下流位置に移動させるステップを含むことができる。
【００２５】
いくつかの実施形態では、方法は、上記第２の表面を上記第２の下流位置から上記第１の下流位置に移動させる上記ステップの間に、上記下流アプリケータの上記第２の表面を上記第２の下流位置から上記第１の下流位置へと回転させるステップを含むことができる。
【００２６】
いくつかの実施形態では、方法は、上記ガラスリボンを上記移動方向に移動させながら、側面処理液を、第１の側方縁部及び第２の側方縁部のうちの１つ以上に塗布するステップを含むことができる。
【００２７】
いくつかの実施形態では、上記側面処理液を、上記第１の側方縁部及び上記第２の側方縁部のうちの１つ以上に塗布する上記ステップは、上記側面処理液を、上記移動方向を横断して延在する横方向を向いた、上記下流アプリケータの上記第２の表面に対して平行な側方表面に沿って流れるように案内するステップを含むことができる。
【００２８】
いくつかの実施形態では、上記上流処理液、上記下流処理液、及び上記側面処理液のうちの１つ以上は、フッ化水素酸及び塩酸のうちの１つ以上を含むことができる。
【００２９】
これらの及びその他の特徴、実施形態、及び利点は、添付の図面を参照して以下の「発明を実施するための形態」を読むと、よりよく理解される。
【図面の簡単な説明】
【００３０】
【図１】本開示の実施形態によるガラス製造装置の概略図
【図２】本開示の実施形態による、図１の線２‐２に沿ったガラス製造装置の断面斜視図
【図３】本開示の実施形態によるガラス処理装置のいくつかの実施形態の端面図
【図４】本開示の実施形態による、図３の線４‐４に沿ったガラス処理装置のいくつかの実施形態の上面図
【図５】本開示の実施形態による、第１の上流位置にある上流アプリケータを備えるガラス処理装置のいくつかの実施形態の端面図
【図６】本開示の実施形態による、第１の下流位置にある下流アプリケータを備えるガラス処理装置のいくつかの実施形態の端面図
【図７】本開示の実施形態による、第２の上流位置にある上流アプリケータを備えるガラス処理装置のいくつかの実施形態、及びガラス処理装置に対して移動するガラスリボンの端面図
【図８】本開示の実施形態による、第２の下流位置にある下流アプリケータを備えるガラス処理装置のいくつかの実施形態、及びガラス処理装置に対して移動するガラスリボンの端面図
【図９】本開示の実施形態による、ガラスリボンの上流縁部が上流アプリケータに対して平行でなくてよい、ガラス処理装置のいくつかの実施形態の上面図
【図１０】本開示の実施形態による、ガラスリボンの上流縁部が上流アプリケータに対して平行であってよい、ガラス処理装置のいくつかの実施形態の上面図
【図１１】本開示の実施形態による、ガラス処理装置の側面アプリケータのいくつかの実施形態の斜視図
【図１２】本開示の実施形態による、ガラス処理装置の側面アプリケータの更なる実施形態の斜視図
【図１３】本開示の実施形態による、ガラス処理装置の側面アプリケータのまた更なる実施形態の斜視図
【発明を実施するための形態】
【００３１】
これより、実施形態を示す添付の図面を参照して、実施形態をより詳細に説明する。可能な場合は常に、図面全体を通して、同一又は同様の部品を指すために同一の参照番号を使用する。しかしながら、本開示は多数の異なる形態で実現してよく、本明細書に記載の実施形態に限定されるものと解釈してはならない。
【００３２】
本明細書中で開示される具体的実施形態は例示を意図したものであり、従って非限定的なものであることを理解できるだろう。本開示の目的のために、いくつかの実施形態では、ガラス製造装置は、ある量の溶融材料からガラス物品（例えばガラスリボン）を形成するガラス成形装置を備えることができる。例えばいくつかの実施形態では、上記ガラス製造装置は、スロットドロー装置、フロートバス装置、ダウンドロー装置、アップドロー装置、圧延装置、又はガラス物品を形成する他のガラス成形装置といった、ガラス成形装置を備えることができる。いくつかの実施形態では、上記ガラス物品は、液晶ディスプレイ（ＬＣＤ）、電気泳動ディスプレイ（ＥＰＤ）、有機発光ダイオードディスプレイ（ＯＬＥＤ）、プラズマディスプレイパネル（ＰＤＰ）及び他の電子ディスプレイを含むがこれらに限定されない、幅広いディスプレイ用途に採用できる。
【００３３】
本開示は、ガラスリボンを処理するためのガラス処理装置及び方法に関する。これより、ガラスを処理するための方法及び装置について、ある量の溶融材料からガラスリボンを形成するための実施形態によって説明する。図１に概略図で示されているように、いくつかの実施形態では、ガラス製造装置１００は、ある量の溶融材料１２１からガラスリボン１０３を製造するために設計された成形用容器１４０を備える、ガラス成形装置１０１を備えることができる。いくつかの実施形態では、ガラスリボン１０３は、ガラスリボン１０３の第１の側方縁部１４８及び第２の側方縁部１５０に沿って形成された対向する厚い縁部ビードの間に配置された、中央部分１５２を備えることができる。更にいくつかの実施形態では、ガラスリボン１０４をガラスリボン１０３から、ガラス分割器１４９（例えばスクライブ、スコアホイール、ダイヤモンドチップ、レーザ等）によって、分割経路１５１に沿って分割できる。いくつかの実施形態では、ガラスリボン１０３からガラスリボン１０４を分割する前又は分割した後に、第１の側方縁部１４８及び第２の側方縁部１５０に沿って形成された厚い縁部ビードを除去して、均一な厚さを有する高品質のガラスリボン１０４として中央部分１５２を提供できる。図１に示すように、分割されたガラスリボン１０４の実施形態は中央部分１５２を含むことができ、厚い縁部ビードを除去した後に第１の側方縁部１５３及び第２の側方縁部１５５が残る。
【００３４】
いくつかの実施形態では、ガラス製造装置１００は、貯蔵用蓋付き容器１０９からバッチ材料１０７を受承するよう配向された溶融用容器１０５を備えることができる。バッチ材料１０７は、モータ１１３によって動力供給されるバッチ送達デバイス１１１によって導入できる。いくつかの実施形態では、任意のコントローラ１１５を用いてモータ１１３を起動し、矢印１１７で示すように、所望量のバッチ材料１０７を溶融用容器１０５に導入できる。溶融用容器１０５はバッチ材料１０７を加熱して、溶融材料１２１を提供できる。いくつかの実施形態では、ガラス溶融プローブ１１９を用いて、スタンドパイプ１２３内の溶融材料１２１の液位を測定し、測定した情報を、通信ライン１２５によってコントローラ１１５に通信できる。
【００３５】
更にいくつかの実施形態では、ガラス製造装置１００は第１の調質ステーションを備えることができ、上記第１の調質ステーションは、溶融用容器１０５の下流に配置され、第１の接続導管１２９によって溶融用容器１０５に連結された、清澄用容器１２７を備える。いくつかの実施形態では、溶融材料１２１は、第１の接続導管１２９によって、溶融用容器１０５から清澄用容器１２７へと重力によって供給できる。例えばいくつかの実施形態では、重力は溶融材料１２１を、溶融用容器１０５から清澄用容器１２７へと第１の接続導管１２９の内部通路を通して推進できる。更にいくつかの実施形態では、様々な技法によって、清澄用容器１２７内の溶融材料１２１から気泡を除去できる。
【００３６】
いくつかの実施形態では、ガラス製造装置１００は更に第２の調質ステーションを備えることができ、上記第２の調質ステーションは、清澄用容器１２７から下流に配置できる混合用チャンバ１３１を備える。混合用チャンバ１３１を用いて、溶融材料１２１の均質な組成物を提供でき、これによって、清澄用容器１２７を出る溶融材料１２１内に存在することになり得る不均質性を低減又は排除する。図示されているように、清澄用容器１２７は、第２の接続導管１３５によって混合用チャンバ１３１に連結できる。いくつかの実施形態では、溶融材料１２１は、第２の接続導管１３５によって、清澄用容器１２７から混合用チャンバ１３１へと重力によって供給できる。例えばいくつかの実施形態では、重力は溶融材料１２１を、清澄用容器１２７から混合用チャンバ１３１へと第２の接続導管１３５の内部通路を通して推進できる。
【００３７】
更にいくつかの実施形態では、ガラス製造装置１００は第３の調質ステーションを備えることができ、上記第３の調質ステーションは、混合用チャンバ１３１から下流に配置できる送達用容器１３３を備える。いくつかの実施形態では、送達用容器１３３は溶融材料１２１を、流入導管１４１内へと供給するために調質できる。例えば送達用容器１３３は、溶融材料１２１の一貫した流れを調整して流入導管１４１へと提供するための、アキュムレータ及び／又は流れコントローラとして機能できる。図示されているように、混合用チャンバ１３１は、第３の接続導管１３７によって送達用容器１３３に連結できる。いくつかの実施形態では、溶融材料１２１は、第３の接続導管１３７によって、混合用チャンバ１３１から送達用容器１３３へと重力によって供給できる。例えばいくつかの実施形態では、重力は溶融材料１２１を、混合用チャンバ１３１から送達用容器１３３へと第３の接続導管１３７の内部通路を通して推進できる。更に図示されているように、いくつかの実施形態では、送達用パイプ１３９を、成形用容器１４０の流入導管１４１へと溶融材料１２１を送達するように位置決めできる。
【００３８】
ガラスリボンをフュージョンドロー加工するためのウェッジを備える成形用容器、ガラスリボンをスロットドローするためのスロットを備える成形用容器、又はガラスリボンを成形用容器から圧延成形するためのプレスロールを備える成形用容器を含む様々な実施形態を、本開示の特徴に従って提供できる。例として、以下で図示及び開示されている成形用容器１４０は、成形用ウェッジ２０９の基部１４５から溶融材料１２１をフュージョンドロー加工して溶融材料１２１のリボンを製造するために提供でき、上記リボンをガラスリボン１０３へとドロー加工できる。例えばいくつかの実施形態では、溶融材料１２１を流入導管１４１から成形用容器１４０へと送達できる。次に、成形用容器１４０の構造を少なくとも部分的にベースとして、溶融材料１２１をガラスリボン１０３へと成形できる。例えば図示されているように、溶融材料１２１を、ガラス製造装置１００のドロー方向１５４に沿って延在するドロー経路に沿って、成形用容器１４０の下縁部（例えば基部１４５）からドロー加工できる。いくつかの実施形態では、縁部方向決定器１６３、１６４は、溶融材料１２１を、成形用容器１４０から離れるように配向してガラスリボン１０３とすることができ、ガラスリボン１０３の第１の側方縁部１４８及び第２の側方縁部１５０に縁部ビードが形成される。
【００３９】
厚い縁部ビードを分割した後、図１に示すように、分割済みガラスリボン１０４は、分割済みガラスリボン１０４の第１の側方縁部１５３と分割済みガラスリボン１０４の第２の側方縁部１５５との間に延在できる幅「Ｗ」を含むことができる。いくつかの実施形態では、分割済みガラスリボン１０４の幅「Ｗ」は、約２０ミリメートル（ｍｍ）以上、例えば約５０ｍｍ以上、例えば約１００ｍｍ以上、例えば約５００ｍｍ以上、例えば約１０００ｍｍ以上、例えば約２０００ｍｍ以上、例えば約３０００ｍｍ以上、例えば約４０００ｍｍ以上とすることができるが、更なる実施形態では、上述の幅未満の、又は上述の幅より大きな他の幅を提供することもできる。例えばいくつかの実施形態では、分割済みガラスリボン１０４の幅「Ｗ」は、約２０ｍｍ〜約４０００ｍｍ、例えば約５０ｍｍ〜約４０００ｍｍ、例えば約１００ｍｍ〜約４０００ｍｍ、例えば約５００ｍｍ〜約４０００ｍｍ、例えば約１０００ｍｍ〜約４０００ｍｍ、例えば約２０００ｍｍ〜約４０００ｍｍ、例えば約３０００ｍｍ〜約４０００ｍｍ、例えば約２０ｍｍ〜約３０００ｍｍ、例えば約５０ｍｍ〜約３０００ｍｍ、例えば約１００ｍｍ〜約３０００ｍｍ、例えば約５００ｍｍ〜約３０００ｍｍ、例えば約１０００ｍｍ〜約３０００ｍｍ、例えば約２０００ｍｍ〜約３０００ｍｍ、例えば約２０００ｍｍ〜約２５００ｍｍ、並びにこれらの間の全ての範囲及び部分範囲内とすることができる。
【００４０】
図２は、図１の線２‐２に沿ったガラス製造装置１００の断面斜視図を示す。いくつかの実施形態では、成形用容器１４０は、流入導管１４１から溶融材料１２１を受承するように配向された、トラフ２０１を備えることができる。例示を目的として、溶融材料１２１の網掛け部分は、分かりやすくするために図２から削除されている。成形用容器１４０は更に成形用ウェッジ２０９を備えることができ、これは、成形用ウェッジ２０９の対向する端部２１０、２１１の間に延在する、下向きに傾斜して集束する表面部分２０７、２０８のペア（図１を参照）を備える。成形用ウェッジ２０９の、下向きに傾斜して集束する表面部分２０７、２０８のペアは、ドロー方向１５４に沿って集束して、成形用ウェッジ２０９の下縁部に沿って交差し、成形用容器１４０の基部１４５を画定できる。ガラス製造装置１００のドロー平面２１３は、基部１４５を通って、ドロー方向１５４に沿って延在できる。いくつかの実施形態では、ガラスリボン１０３を、ドロー平面２１３に沿ってドロー方向１５４にドロー加工できる。図示されているように、ドロー平面２１３は、基部１４５を通って成形用ウェッジ２０９を二等分できるが、いくつかの実施形態では、ドロー平面２１３は、基部１４５に対して他の配向で延在することもできる。
【００４１】
更にいくつかの実施形態では、溶融材料１２１は、成形用容器１４０のトラフ２０１内へと、方向１５６に流れることができる。続いて溶融材料１２１は、対応する堰２０３、２０４を同時に越えて、対応する堰２０３、２０４の外面２０５、２０６上を下向きに流れることによって、トラフ２０１からあふれることができる。次に、溶融材料１２１の流れはそれぞれ、成形用ウェッジ２０９の、下向きに傾斜して集束する表面部分２０７、２０８に沿って流れることができ、これにより、上記流れが集束してガラスリボン１０３へと融合する成形用容器１４０の基部１４５から、ドロー加工できる。その後、ガラスリボン１０３を基部１４５から、ドロー方向１５４に沿ってドロー平面２１３内でフュージョンドロー加工できる。いくつかの実施形態では、これに続いてガラス分割器１４９（図１を参照）が、ガラスリボン１０４を、分割経路１５１に沿ってガラスリボン１０３から分割できる。いくつかの実施形態では、分割経路１５１は、ガラスリボン１０３のドロー方向１５４を横断して（例えばドロー方向１５４に対して垂直に）、ガラスリボン１０３の第１の側方縁部１４８と第２の側方縁部１５０との間に延在できる。更にいくつかの実施形態では、ドロー方向１５４は、ガラスリボン１０３を成形用容器１４０からフュージョンドロー加工できる方向を画定できる。いくつかの実施形態では、ガラスリボン１０３は、ドロー方向１５４に沿って横断する際に、≧５０ｍｍ／ｓ、≧１００ｍｍ／ｓ、又は≧５００ｍｍ／ｓ、例えば約５０ｍｍ／ｓ〜約５００ｍｍ／ｓ、例えば約１００ｍｍ／ｓ〜約５００ｍｍ／ｓ、並びにこれらの間の全ての範囲及び部分範囲内の速度を有することができる。
【００４２】
図２に示すように、ガラスリボン１０３を基部１４５からドロー加工でき、ここでガラスリボン１０３の第１の大面２１５とガラスリボン１０３の第２の大面２１６とは対向する方向を向いて、ガラスリボン１０３の厚さ「Ｔ」（例えば平均厚さ）を画定する。いくつかの実施形態では、ガラスリボン１０３の厚さ「Ｔ」は、約２ｍｍ以下、約１ｍｍ以下、約０．５ｍｍ以下、例えば約３００マイクロメートル（μｍ）以下、約２００μｍ以下、又は約１００μｍ以下とすることができるが、更なる実施形態では他の厚さを提供することもできる。例えばいくつかの実施形態では、ガラスリボン１０３の厚さ「Ｔ」は、約５０μｍ〜約７５０μｍ、約１００μｍ〜約７００μｍ、約２００μｍ〜約６００μｍ、約３００μｍ〜約５００μｍ、約５０μｍ〜約５００μｍ、約５０μｍ〜約７００μｍ、約５０μｍ〜約６００μｍ、約５０μｍ〜約５００μｍ、約５０μｍ〜約４００μｍ、約５０μｍ〜約３００μｍ、約５０μｍ〜約２００μｍ、約５０μｍ〜約１００μｍ（これらの間の全ての厚さの範囲及び部分範囲を含む）とすることができる。更にガラスリボン１０３は、ソーダライムガラス、ボロシリケートガラス、アルミノボロシリケートガラス、アルカリ含有ガラス、又はアルカリ非含有ガラスを含むがこれらに限定されない、多様な組成物を含むことができる。
【００４３】
図３〜４は、ガラス処理装置３０１のいくつかの実施形態を示す。図３はガラス処理装置３０１の側面図を示し、図４は、図３の線４‐４に沿ったガラス処理装置３０１の上面図を示す。いくつかの実施形態では、ガラス処理装置３０１は成形装置１０１の下流に配置される。従っていくつかの実施形態では、ガラス処理装置３０１は、ガラス製造装置１００の下流加工ステーションとして提供でき、これは、分割済みガラスリボン１０４を製造するガラス成形装置１０１の下流に位置決めされる。代替実施形態では、ガラス処理装置３０１はガラスリボン１０４を離れた場所で処理できる。例えば、ガラスリボン１０４の積層体を、（例えばガラス製造装置１００から離れた）加工場所にあるガラス処理装置３０１に供給してよく、ここで更なるガラスリボン１０４の加工を実施する。更なる例では、ガラスリボンの保管用ロールを解いて、所望の長さのガラスリボン１０４へと分割してよく、これをガラス処理装置３０１で加工できる。
【００４４】
いくつかの実施形態では、ガラス処理装置３０１はガラスリボン１０４の１つ以上の縁部の処理を支援する。例えばガラス処理装置３０１は、ガラスリボン１０４の上流縁部３１２、下流縁部３２１、第１の側方縁部１５３、及び第２の側方縁部１５５のうちの１つ以上を処理できる。いくつかの実施形態では、ガラス処理装置３０１によるガラスリボン１０４の処理は、処理液をガラスリボン１０４の１つ以上の縁部に塗布するステップを含んでよく、これにより、ガラスリボン１０４の縁部に蓄積している可能性がある粒子を削減できる。いくつかの実施形態では、これらの粒子は、ガラス製造プロセスの産物であり得る、接着したガラス粒子を含んでよい。例えば、処理液をガラスリボン１０４の１つ以上の縁部に塗布する上記ステップは、ガラスリボン１０３からガラスリボン１０４を分割するプロセスの間に、並びに／又は縁部ビードを分割してガラスリボン１０４の第１の側方縁部１５３及び第２の側方縁部１５５を製造するステップの間に、分割済みガラスリボン１０４の縁部３１２、３２１、１５３、１５５のうちの１つ以上に蓄積している可能性がある粒子を削減できる。
【００４５】
いくつかの実施形態では、ガラス処理装置３０１でガラスリボン１０４を処理する方法は、ガラスリボン１０４を移動経路３０７の移動方向３０５に沿って移動させるステップを含むことができる。いくつかの実施形態では、ガラスリボン１０４に係合（例えば物理的に接触）して、ガラスリボン１０４を移動経路３０７に沿って移動方向３０５に搬送するように、１つ以上のローラ３０３を設けることができる。図示されているように、いくつかの実施形態では、ローラ３０３が設けられている場合、これらは互いに離間させることができ、またガラスリボン１０４の第２の大面２１６に係合できるが、更なる実施形態は、第１の大面２１５に係合するローラ、又はガラスリボン１０４の第１の大面２１５及び第２の大面２１６の両方に係合するローラを設けてもよい。いくつかの実施形態では、ローラ３０３のうちの１つ以上は、モータ（図示せず）で駆動して（例えば図３及び５〜８では反時計回り方向に）回転させることができ、これによりガラスリボン１０４を移動方向３０５に沿って移動させることができる。いくつかの実施形態では、ガラスリボン１０４の第１の大面２１５及び／又は第２の大面２１６に係合することにより、ローラ３０３はガラスリボン１０４を、移動経路３０７に沿って移動方向３０５に推進／操作できる。
【００４６】
いくつかの実施形態では、ガラス処理装置３０１は、上流アプリケータ３０９及び下流アプリケータ３１１のうちの１つ以上を備える。上流アプリケータ３０９は、移動方向３０５に関して下流アプリケータ３１１の上流に位置してよい。いくつかの実施形態では、上流アプリケータ３０９は、ガラスリボン１０４の移動方向３０５に対して平行でなくてよい方向に延在してよい。例えば上流アプリケータ３０９は、ガラスリボン１０４の移動方向３０５に対して垂直に延在してよい。いくつかの実施形態では、上流アプリケータ３０９の長さは、ガラスリボン１０４の幅「Ｗ」より大きくてよい。これにより、上流アプリケータ３０９は上流縁部３１２全体を処理できる。しかしながら他の実施形態では、上流アプリケータ３０９は、ガラスリボン１０４の幅「Ｗ」より小さくてよい長さを有することができ、これにより上流アプリケータ３０９は、上流縁部３１２の一部分を処理できる。
【００４７】
いくつかの実施形態では、上流アプリケータ３０９は、上流縁部３１２に対する意図しない損傷を回避しながらガラスリボン１０４の上流縁部３１２を処理できる材料を含む。例えば上流アプリケータ３０９は、裏材部分３１３及び係合部分３１５を備えてよい。裏材部分３１３は係合部分３１５よりも高い剛性を有してよく、これにより裏材部分３１３は、上流アプリケータ３０９が意図せず屈曲する又は曲がる可能性を低減できる。いくつかの実施形態では、裏材部分３１３は、プラスチック（例えばポリプロピレン）、金属、又は樹脂といった様々な材料を含んでよいが、所望のレベルの剛性を提供するために他の材料を採用してもよい。
【００４８】
上流アプリケータ３０９の係合部分３１５を裏材部分３１３に取り付けることができる。いくつかの実施形態では、係合部分３１５は、裏材部分３１３よりも高い柔軟性を有することができる材料を含んでよい。例えば係合部分３１５は、可撓性発泡材料（例えば連続気泡発泡体、独立気泡発泡体）、剛毛、パイル生地、フルオロポリマー（例えばポリテトラフルオロエチレン、ポリフッ化ビニリデン等）、フルオロポリマーエラストマ、ポリプロピレン、又は柔軟であり液体を移動させることができる他の材料を含んでよい。いくつかの実施形態では、裏材部分３１３は、係合部分３１５を受承できるチャネル３１７を画定できる。係合部分３１５は、接着剤、機械的締結器具等を用いる複数の方法で、裏材部分３１３に取り付けることができる。係合部分３１５は上流アプリケータ３０９の側部（例えばガラスリボン１０４に選択的に対面できる側部）を形成してよく、その一方で裏材部分３１３は上流アプリケータ３０９の反対側の側部を形成できる。裏材部分３１３と係合部分３１５との取り付けは、裏材部分３１３がチャネル３１７内に係合部分３１５を受承できる、この図示されている実施形態に限定されないことが理解されるだろう。これとは異なり、いくつかの実施形態では、係合部分３１５を実質的に中空にすることができ、これにより、裏材部分３１３を受承できる長手方向チャネルを画定できる。いくつかの実施形態では、係合部分３１５は、例えば裏材部分３１３を受承できる中空チューブを含んでよい。
【００４９】
いくつかの実施形態では、上流アプリケータ３０９は第１の表面３１９を備える。いくつかの実施形態では、第１の表面３１９は係合部分３１５に沿って画定されていてよく、これにより係合部分３１５は第１の表面３１９を含むことができる。上流アプリケータ３０９は、上流縁部３１２を上流アプリケータ３０９の第１の表面３１９に係合させることによって、上流処理液をガラスリボン１０４の上流縁部３１２に塗布できるように位置決めできる。いくつかの実施形態では、第１の表面３１９は略平面とすることができる。しかしながら他の実施形態では、係合部分３１５が中空であってよく、チャネル内に裏材部分３１３を受承できる場合等においては、第１の表面３１９は非平面（例えば円筒状）であってよい。
【００５０】
図３を更に参照すると、下流アプリケータ３１１は、移動方向３０５に関して上流アプリケータ３０９の下流に配置されていてよい。いくつかの実施形態では、下流アプリケータ３１１は、ガラスリボン１０４の移動方向３０５に対して平行でなくてよい方向に延在してよい。例えば下流アプリケータ３１１は、ガラスリボン１０４の移動方向３０５に対して垂直に延在してよい。いくつかの実施形態では、下流アプリケータ３１１の長さはガラスリボン１０４の幅「Ｗ」より大きくてよい。これにより、下流アプリケータ３１１はガラスリボン１０４の下流縁部３２１全体を処理できる。しかしながら他の実施形態では、下流アプリケータ３１１はガラスリボン１０４の幅「Ｗ」より小さくてよい長さを有することができ、従って下流アプリケータ３１１は下流縁部３２１の一部分を処理できる。いくつかの実施形態では、上流アプリケータ３０９の第１の表面３１９は、下流アプリケータ３１１の第２の表面３２９と平行であってよい。
【００５１】
下流アプリケータ３１１は、構造及び機能の点で上流アプリケータ３０９と同様であってよい。例えば下流アプリケータ３１１は、下流縁部３２１に対する意図しない損傷を回避しながらガラスリボン１０４の下流縁部３２１を処理できる材料を含む。いくつかの実施形態では、下流アプリケータ３１１は、裏材部分３２３及び係合部分３２５を備えてよい。裏材部分３２３は係合部分３２５よりも高い剛性を有してよく、これにより裏材部分３２３は、下流アプリケータ３１１が意図せず曲がる可能性を低減できる。いくつかの実施形態では、裏材部分３２３は、プラスチック（例えばポリプロピレン）、金属、又は樹脂といった様々な材料を含んでよいが、所望のレベルの剛性を提供するために他の材料を採用してもよい。
【００５２】
下流アプリケータ３１１の係合部分３２５を裏材部分３２３に取り付けることができる。いくつかの実施形態では、係合部分３２５は、構造及び機能の点で上流アプリケータ３０９の係合部分３１５と同様であってよい材料、例えば裏材部分３２３よりも高い柔軟性を有することができる材料を含んでよい。例えば係合部分３２５は、可撓性発泡材料（例えば連続気泡発泡体、独立気泡発泡体）、剛毛、パイル生地、又は柔軟であり液体を移動させることができる他の材料を含んでよい。いくつかの実施形態では、裏材部分３２３は、係合部分３２５を受承できるチャネル３２７を画定できる。係合部分３２５は、接着剤、機械的締結器具等を用いる複数の方法で、裏材部分３２３に取り付けることができる。係合部分３２５は下流アプリケータ３１１の側部（例えばガラスリボン１０４に選択的に対面できる側部）を形成してよく、その一方で裏材部分３２３は下流アプリケータ３１１の反対側の側部を形成できる。裏材部分３２３と係合部分３２５との取り付けは、裏材部分３２３がチャネル３２７内に係合部分３２５を受承できる、この図示されている実施形態に限定されないことが理解されるだろう。これとは異なり、いくつかの実施形態では、係合部分３２５を実質的に中空にすることができ、これにより、裏材部分３２３を受承できる長手方向チャネルを画定できる。いくつかの実施形態では、係合部分３２５は、例えば裏材部分３２３を受承できる中空チューブを含んでよい。
【００５３】
いくつかの実施形態では、下流アプリケータ３１１は第２の表面３２９を備える。いくつかの実施形態では、第２の表面３２９は係合部分３２５に沿って画定されていてよく、これにより係合部分３２５は第２の表面３２９を含むことができる。下流アプリケータ３１１は、下流縁部３２１を下流アプリケータ３１１の第２の表面３２９に係合させることによって、下流処理液をガラスリボン１０４の下流縁部３２１に塗布できるように位置決めできる。いくつかの実施形態では、第２の表面３２９は略平面であってよい。しかしながら他の実施形態では、係合部分３２５が中空であってよく、チャネル内に裏材部分３２３を受承できる場合等においては、第２の表面３２９は非平面であってよい。
【００５４】
いくつかの実施形態では、ガラス処理装置３０１は、側面処理液をガラスリボン１０４の第１の側方縁部１５３及び／又は第２の側方縁部１５５に塗布できる１つ以上の側面アプリケータ３３３を備える。いくつかの実施形態では、１つ以上の側面アプリケータ３３３は、移動経路３０７に対して平行であってよい第１の横方向経路３４１に沿って互いから離間した、側面アプリケータの第１の列３３５として配設できる。側面アプリケータの第１の列３３５は、（例えば図示されているように）２つの側面アプリケータ３３３を含んでよいが、更なる実施形態では、１つ、又は３つ以上の側面アプリケータ３３３を設けてもよい。いくつかの実施形態では、１つ以上の側面アプリケータ３３３は、移動経路３０７に対して平行であってよい第２の横方向経路３４３に沿って互いから離間した、側面アプリケータの第２の列３３７として配設できる。側面アプリケータの第２の列３３７は、（例えば図示されているように）２つの側面アプリケータ３３３を含んでよいが、更なる実施形態では、１つ、又は３つ以上の側面アプリケータ３３３を設けてもよい。
【００５５】
いくつかの実施形態では、側面アプリケータの第１の列３３５は、ガラスリボン１０４の第１の側方縁部１５３に沿って位置決めされていてよく、その一方で側面アプリケータの第２の列３３７は、ガラスリボン１０４の第２の側方縁部１５５に沿って位置決めされていてよい。側面アプリケータの第１の列３３５と、側面アプリケータの第２の列３３７とは、上流アプリケータ３０９及び／又は下流アプリケータ３１１に対して略平行、かつ移動方向３０５に対して略垂直とすることができる横方向３４７に沿って、ある距離だけ離間していてよい。いくつかの実施形態では、第１の横方向経路３４１は第２の横方向経路３４３に対して平行であってよく、従って側面アプリケータの第１の列３３５は側面アプリケータの第２の列３３７に対して平行であってよい。いくつかの実施形態では、側面アプリケータの第１の列３３５と側面アプリケータの第２の列３３７とを隔てる上記距離は、第１の側方縁部１５３と第２の側方縁部１５５との間のガラスリボン１０４の幅「Ｗ」に等しくてよい。他の実施形態では、側面アプリケータの第１の列３３５と側面アプリケータの第２の列３３７とを隔てる上記距離は、一定でなくてよく、及び／又は調整可能であってよく、従って上記距離は変動し得る。これらの実施形態では、側面アプリケータの第１の列３３５及び／又は側面アプリケータの第２の列３３７を、横方向３４７に沿った移動を可能とすることができるトラック又は他の類似の構造に取り付けることができる。このような調整可能性は、（例えばガラスリボン１０４の上流縁部３１２が上流アプリケータ３０９に対して平行でない、及びガラスリボン１０４の下流縁部３２１が下流アプリケータ３１１に対して平行でない場合の）ガラスリボン104の誤整列、ガラスリボン１０４のサイズのばらつき等に適応するために望ましい場合がある。
【００５６】
側面アプリケータ３３３の構造及び機能について、図１１〜１３に関して更に説明する。いくつかの実施形態では、側面アプリケータ３３３は、移動方向３０５を横断して延在する横方向３４７を向いた、チャネルを備える。いくつかの実施形態では、移動方向３０５を横断して延在することにより、横方向３４７は移動方向３０５と直交でき、また上流アプリケータ３０９の第１の表面３１９及び／又は下流アプリケータ３１１の第２の表面３２９に対して平行となることができる。他の実施形態では、横方向３４７は、移動方向３０５と直交するものに限定されず、移動方向３０５に対して別の角度（例えば９０°より大きな、又は小さな角度）で延在できる。側面アプリケータ３３３は、第１の側方縁部１５３及び／又は第２の側方縁部１５５に対する意図しない損傷を回避しながら、ガラスリボン１０４の第１の側方縁部１５３及び／又は第２の側方縁部１５５を処理できる、側面処理液を含んでよい。いくつかの実施形態では、上流処理液、下流処理液、及び側面処理液のうちの１つ以上は、フッ化水素酸、塩酸、硫酸、フッ化水素酸と硫酸との混合物、硝酸、フッ化水素酸と硝酸との混合物、二フッ化アンモニウム、緩衝フッ化水素酸、フッ化ナトリウム、リン酸、フッ化ナトリウムとリン酸との混合物、水酸化カリウム、水酸化ナトリウム、及びこれらの化学物質のうちの１つ以上と他の添加剤（例えば界面活性剤等）とを含むことができる他の溶液のうちの１つ以上を含むことができる。他の実施形態では、上流処理液、下流処理液、及び側面処理液のうちの１つ以上は、洗浄材料、保護コーティング等といった非酸性材料を含んでよい。
【００５７】
図３〜８を参照すると、第１の上流位置と第２の上流位置との間での上流アプリケータ３０９の移動が図示されている。いくつかの実施形態では、第１の表面３１９は、第１の表面３１９が、移動経路３０７の移動方向３０５を横断して延在し、かつ移動方向３０５の反対の方向成分を有する下流方向５０１を向いたまま、ガラス処理装置３０１の移動経路３０７内に存在できる、（例えば図５〜６に示されている）第１の上流位置と、第１の表面３１９が移動経路３０７の外側に存在できる、（例えば図３〜４及び７〜８に示されている）第２の上流位置との間で、移動可能であってよい。いくつかの実施形態では、上流アプリケータ３０９の第１の表面３１９と下流アプリケータ３１１の第２の表面３２９は、移動経路３０７の内側又は外側にある状態で、移動方向３０５を横断して延在できる。例えばいくつかの実施形態では、上流アプリケータ３０９及び下流アプリケータ３１１のうちの１つ以上は、移動方向３０５と直交して延在でき、また移動経路３０７内にあってよく、これにより、ガラスリボン１０４によって画定される平面は、上流アプリケータ３０９の第１の表面３１９及び／又は下流アプリケータ３１１の第２の表面３２９と交差する。他の実施形態では、上流アプリケータ３０９及び下流アプリケータ３１１のうちの１つ以上は、移動方向３０５と直交して延在でき、また移動経路３０７の外側にあってよく、これにより、ガラスリボン１０４によって画定される平面は、上流アプリケータ３０９の第１の表面３１９及び／又は下流アプリケータ３１１の第２の表面３２９と交差しない。いくつかの実施形態では、ガラス処理装置３０１は、上流アプリケータ３０９を第１の上流位置と第２の上流位置との間で移動させるための、上流アプリケータ３０９に連結された１つ以上の歯車、モータ、アクチュエータ等を備えてよい。他の実施形態では、オペレーター等が手動で、上流アプリケータ３０９を第１の上流位置と第２の上流位置との間で移動させることができる。
【００５８】
上流アプリケータ３０９の第１の表面３１９が（例えば図５〜６に示されている）第１の上流位置にある場合、第１の表面３１９は、ガラスリボン１０４によって画定される平面内にあってよく、これにより、ガラスリボン１０４によって画定される平面は、上流アプリケータ３０９の第１の表面３１９と交差し得ることが理解されるだろう。いくつかの実施形態では、第１の表面３１９はガラスリボン１０４の上流縁部３１２に対面でき、これにより上流縁部３１２は、例えば第１の表面３１９と接触することによって、第１の表面３１９に係合するための位置となることができる。ガラスリボン１０４の上流縁部３１２と対面することにより、第１の表面３１９は、上流縁部３１２に対して平行となってもならなくてもよい。上流アプリケータ３０９の第１の表面３１９が（例えば図３〜４及び７〜８に示されている）第２の上流位置にある場合、第１の表面３１９は、ガラスリボン１０４によって画定される平面の外側にあってよく、これにより、ガラスリボン１０４によって画定される平面は、上流アプリケータ３０９の第１の表面３１９と交差しない。従って、上流アプリケータ３０９の第１の表面３１９が第２の上流位置にあるとき、ガラスリボン１０４は、ガラスリボン１０４と上流アプリケータ３０９の第１の表面３１９とが係合することなく、移動経路３０７の移動方向３０５に沿って移動できる。
【００５９】
いくつかの実施形態では、第１の上流位置と第２の上流位置との間での上流アプリケータ３０９の第１の表面３１９の移動は、軸の周りでの回転を含んでよい。例えば、上流アプリケータ３０９の第１の表面３１９は、第１の上流位置と第２の上流位置との間で回転可能であってよい。軸の周りで回転方向５０３に、第２の上流位置から第１の上流位置へと（例えば図３〜４から図５へと）回転する場合、上流アプリケータ３０９の第１の表面３１９は、回転方向５０３に、少なくとも第１の表面３１９がガラスリボン１０４の移動経路３０７内となるまで回転できる。ガラスリボン１０４の移動経路３０７内となることにより、第１の表面３１９は、ガラスリボン１０４によって画定される平面内となることができ、これにより、ガラスリボン１０４によって画定される平面は、上流アプリケータ３０９の第１の表面３１９と交差できる。第１の表面３１９の第１の上流位置は、図示されているように、第２の上流位置における第１の表面３１９から約９０°オフセットされていてよいが、このようなオフセットの角度は限定を意図したものではないことが理解されるだろう。上記とは異なり、いくつかの実施形態では、上流アプリケータ３０９は、第１の表面３１９がガラスリボン１０４の移動経路３０７内となり得る位置まで、例えば約３０°〜約１５０°の範囲内で回転してよいが、第１の上流位置から第２の上流位置への上流アプリケータの回転方向５０３における他の回転角度も可能である。回転角度（例えば約３０°〜約１５０°）は、第１の表面３１９の第１の上流位置と、第１の表面３１９の第２の上流位置との間で測定してよい。更なる実施形態では、上流アプリケータ３０９の第１の表面３１９は同様に、第１の上流位置（図５〜６を参照）から第２の上流位置（図７を参照）へと、軸の周りで回転方向７０１（図７を参照）に回転できる。
【００６０】
第１の上流位置と第２の上流位置との間での上流アプリケータ３０９の第１の表面３１９の移動は、回転移動に限定されなくてよいことが理解されるだろう。上記とは異なり、いくつかの実施形態では、上流アプリケータ３０９の第１の表面３１９は、例えば摺動によって、第１の垂直方向５０５又は第２の垂直方向５０７に沿って移動できる。これらの実施形態では、第１の表面３１９は、第１の表面３１９が（例えば図５〜６に示されている）第１の上流位置及び第２の上流位置にあるとき、下流方向５０１を向くことができる。しかしながら、第１の表面３１９は、第１の上流位置にある間はガラス処理装置３０１の移動経路３０７内に存在し続けてよく、第２の上流位置にある間は移動経路３０７の外側に存在してよい。他の実施形態では、上流アプリケータ３０９の第１の表面３１９は、例えば横方向に沿って（例えば図５のページの内外へ）移動することによって、第１の上流位置と第２の上流位置との間で移動できる。
【００６１】
図５〜８を参照すると、第１の下流位置と第２の下流位置との間での下流アプリケータ３１１の移動が図示されている。いくつかの実施形態では、第２の表面３２９は、第２の表面３２９が、移動経路３０７の移動方向３０５を横断して延在し、かつ移動方向３０５の方向成分を有する上流方向６０１を向いたまま、ガラス処理装置３０１の移動経路３０７内に存在できる、（例えば図６〜７に示されている）第１の下流位置と、第２の表面３２９が移動経路３０７の外側に存在できる、（例えば図５及び８に示されている）第２の下流位置との間で、移動可能であってよい。いくつかの実施形態では、ガラス処理装置３０１は、下流アプリケータ３１１を第１の下流位置と第２の下流位置との間で移動させるための、下流アプリケータ３１１に連結された１つ以上の歯車、モータ、アクチュエータ等を備えてよい。他の実施形態では、オペレーター等が手動で、下流アプリケータ３１１を第１の下流位置と第２の下流位置との間で移動させることができる。
【００６２】
下流アプリケータ３１１の第２の表面３２９が（例えば図６及び７に示されている）第１の下流位置にある場合、第２の表面３２９は、ガラスリボン１０４によって画定される平面内にあってよく、これにより、ガラスリボン１０４によって画定される平面は、下流アプリケータ３１１の第２の表面３２９と交差し得る。下流アプリケータ３１１の第２の表面３２９が第１の下流位置にある場合、第２の表面３２９はガラスリボン１０４の下流縁部３２１に対面でき、これにより下流縁部３２１は、例えば第２の表面３２９と接触することによって、第２の表面３２９に係合するための位置となることができる。ガラスリボン１０４の下流縁部３２１と対面することにより、第２の表面３２９は、下流縁部３２１に対して平行となってもならなくてもよい。
【００６３】
下流アプリケータ３１１の第２の表面３２９が（例えば図５及び８に示されている）第２の下流位置にある場合、第２の表面３２９は、ガラスリボン１０４の移動経路３０７の外側にあってよく、これにより、ガラスリボン１０４の移動経路３０７は、下流アプリケータ３１１の第２の表面３２９と交差しないことが理解されるだろう。従って、下流アプリケータ３１１の第２の表面３２９が第２の下流位置にあるとき、ガラスリボン１０４は、ガラスリボン１０４と下流アプリケータ３１１の第２の表面３２９とが係合することなく、移動経路３０７の移動方向３０５に沿って移動できる。
【００６４】
いくつかの実施形態では、第１の下流位置と第２の下流位置との間で移動可能であることにより、下流アプリケータ３１１の第２の表面３２９は、第１の下流位置と第２の下流位置との間で回転可能となり得る。例えば、第１の下流位置と第２の下流位置との間での下流アプリケータ３１１の第２の表面３２９の移動は、軸の周りでの回転を含んでよい。軸の周りで回転方向６０３に、第２の下流位置から第１の下流位置へと（例えば図５〜７を参照）回転する場合、下流アプリケータ３１１の第２の表面３２９は、回転方向６０３に、少なくとも第２の表面３２９がガラスリボン１０４の移動経路３０７内となるまで回転できる。ガラスリボン１０４の移動経路３０７内となることにより、第２の表面３２９は、ガラスリボン１０４によって画定される平面内となることができ、これにより、ガラスリボン１０４によって画定される平面は、下流アプリケータ３１１の第２の表面３２９と交差できる。第２の表面３２９の第１の下流位置は、第２の下流位置における第２の表面３２９から約８０°〜９０°オフセットされていてよいが、このようなオフセットの角度は限定を意図したものではないことが理解されるだろう。上記とは異なり、いくつかの実施形態では、下流アプリケータ３１１は、第２の表面３２９がガラスリボン１０４の移動経路３０７内となり得る位置まで、例えば約３０°〜約１５０°の範囲内で回転してよいが、第２の下流位置から第１の下流位置への下流アプリケータ３１１の回転方向６０３における他の回転角度も可能である。回転角度（例えば約３０°〜約１５０°）は、第２の表面３２９の第１の下流位置と、第２の表面３２９の第２の下流位置との間で測定してよい。このように、いくつかの実施形態では、ガラス処理装置３０１を用いてガラスリボン１０４を処理する方法は、第２の表面３２９を第２の下流位置から第１の下流位置に移動させる間に、下流アプリケータ３１１の第２の表面３２９を第２の下流位置から第１の下流位置へと回転させるステップを含むことができる。
【００６５】
第１の下流位置と第２の下流位置との間での下流アプリケータ３１１の第２の表面３２９の移動は、回転移動に限定されなくてよいことが理解されるだろう。上記とは異なり、いくつかの実施形態では、下流アプリケータ３１１の第２の表面３２９は、例えば摺動によって、第１の垂直方向５０５又は第２の垂直方向５０７に沿って移動できる。これらの実施形態では、第２の表面３２９は、第２の表面３２９が（例えば図６及び７に示されている）第１の下流位置並びに（例えば図５及び８に示されている）第２の下流位置にあるとき、上流方向６０１を向くことができる。しかしながら、第２の表面３２９は、第１の下流位置にある間はガラス処理装置３０１の移動経路３０７内に存在し続けてよく、第２の下流位置にある間は移動経路３０７の外側に存在してよい。他の実施形態では、下流アプリケータ３１１の第２の表面３２９は、例えば横方向に沿って（例えば図６のページの内外へ）移動することによって、第１の下流位置と第２の下流位置との間で移動できる。
【００６６】
いくつかの実施形態では、ガラス処理装置３０１を用いてガラスリボン１０４を処理する方法は、下流縁部３２１を、第１の下流位置（図６及び７を参照）に位置決めされた下流アプリケータ３１１の第２の表面３２９に係合させることによって、下流処理液をガラスリボン１０４の下流縁部３２１に塗布するステップを含むことができる。例えば、第２の表面３２９が（例えば図５に示されている）第２の下流位置から（例えば図６及び７に示されている）第１の下流位置に移動する（例えば回転する）と、第２の表面３２９はガラスリボン１０４の下流縁部３２１に係合できる。第２の表面３２９は、下流処理液を含浸させるか、又は下流処理液でコーティングしてよい。いくつかの実施形態では、第２の表面３２９が下流縁部３２１に係合すると、下流処理液を下流縁部３２１に塗布できる。
【００６７】
第２の表面３２９を下流縁部３２１に係合させて下流処理液を下流縁部３２１に塗布することは、複数の点で有益であり得る。例えば下流処理液は、ガラス製造プロセスの産物であり得る、下流縁部３２１の付着ガラス粒子等の粒子を削減できる。更に、又はあるいは、第２の表面３２９は、第２の表面３２９が下流縁部３２１に接触して下流縁部３２１に係合するときに、下流縁部３２１を擦り洗いすることができる。このように、下流処理液の塗布及び／又は下流縁部３２１の擦り洗いにより、下流縁部３２１の粒子及び意図しない擦傷を削減できる。いくつかの実施形態では、第２の表面３２９は、第２の表面３２９が下流縁部３２１に係合するときに、下流縁部３２１に保護コーティングを塗布できる。
【００６８】
いくつかの実施形態では、ガラス処理装置３０１を用いてガラスリボン１０４を処理する方法は、下流処理液を塗布するステップの間又は前に、第２の表面３２９を第２の下流位置から第１の下流位置に移動させるステップを含むことができる。例えば図６に示すように、第２の表面３２９が第２の下流位置から第１の下流位置へと回転方向６０３に回転すると、第２の表面３２９は下流縁部３２１に係合できる。この下流縁部３２１の係合により、下流処理液を下流縁部３２１に塗布できる。従ってこれらの実施形態では、第２の表面３２９は、第２の表面３２９が第２の下流位置から第１の下流位置に移動する間に、下流処理液を塗布できる。いくつかの実施形態では、第２の表面３２９を第２の下流位置から第１の下流位置へと回転方向６０３に回転させることができるときに、第２の表面３２９が下流縁部３２１に係合しない場合がある。上記とは異なり、下流縁部３２１は、第２の下流位置から第１の下流位置への移動中、第２の表面３２９から離間していてよい。いくつかの実施形態では、第２の表面３２９は、例えばローラ３０３がガラスリボン１０４を下流方向５０１に沿って第２の表面３２９に接触するように移動させることによって、第２の表面３２９を第１の下流位置へと移動させた後で、下流縁部３２１に係合できる。ガラスリボン１０４を下流方向５０１に移動させるために、ローラ３０３を、（例えばガラスリボン１０４を下流方向５０１に沿って移動させるために、ローラ３０３を時計回り方向に回転させることによって）図３及び５〜８に示されている回転方向とは反対の回転方向に回転させることができる。従っていくつかの実施形態では、第２の表面３２９は、下流処理液を下流縁部３２１に塗布するステップの前に、第２の下流位置から第１の下流位置に移動させることができる。
【００６９】
いくつかの実施形態では、第２の表面３２９を第２の下流位置から第１の下流位置に移動させることにより、ガラスリボン１０４の上流縁部３１２を、第１の上流位置に位置決めされた上流アプリケータ３０９の第１の表面３１９に係合させることができ、これにより、第１の表面３１９は上流処理液をガラスリボン１０４の上流縁部３１２に塗布する。例えば図５を簡単に参照すると、上流アプリケータ３０９の第１の表面３１９は初め、ガラスリボン１０４の上流縁部３１２からある距離だけ離間していてよい。従って第１の表面３１９は初め、上流縁部３１２に係合していなくてよい。図６を参照すると、第２の表面３２９が第２の下流位置から第１の下流位置に移動する（例えば回転する）と、第２の表面３２９は下流縁部３２１に係合して、下流縁部３２１に上流方向６０１の力を印加できる。第２の表面３２９によって印加されるこの力は、ガラスリボン１０４をある距離だけ上流方向６０１に移動させることができ、その結果、ガラスリボン１０４の上流縁部３１２は第１の表面３１９に係合できる。更に、又はあるいは、本開示の実施形態は、第１の表面３１９が上流縁部３１２に係合して上流縁部３１２を擦り洗いする、及び／又は液体を上流縁部３１２に塗布するように、ガラスリボン１０４を上流方向６０１に推進する、１つ以上の被駆動ローラ３０３を備えてよい。
【００７０】
いくつかの実施形態では、ガラス処理装置３０１を用いてガラスリボン１０４を処理する方法は、上流縁部３１２を第１の上流位置に位置決めされた上流アプリケータ３０９の第１の表面３１９に係合させることによって、上流処理液をガラスリボン１０４の上流縁部３１２に塗布するステップを含むことができる。例えば第１の表面３１９は、上流処理液を含浸させるか、又は上流処理液でコーティングしてよい。第２の表面３２９がガラスリボン１０４に力を印加して、ガラスリボン１０４を上流方向６０１に移動させると、第１の表面３１９は上流縁部３１２に係合でき、上流処理液を上流縁部３１２に塗布できる。
【００７１】
いくつかの実施形態では、第１の表面３１９を上流縁部３１２に係合させて上流処理液を上流縁部３１２に塗布することは、複数の点で有益であり得る。例えば上流処理液は、ガラス製造プロセスの産物であり得る、上流縁部３１２の付着ガラス粒子等の粒子を削減できる。更に、又はあるいは、第１の表面３１９は、第１の表面３１９が上流縁部３１２に係合するときに、上流縁部３１２を擦り洗いすることができる。このように、上流処理液の塗布及び／又は上流縁部３１２の擦り洗いにより、上流縁部３１２の粒子及び意図しない擦傷を削減できる。いくつかの実施形態では、第１の表面３１９は、第１の表面３１９が上流縁部３１２に係合するときに、上流縁部３１２に保護コーティングを塗布できる。
【００７２】
図７を参照すると、第１の表面３１９によって上流処理液が上流縁部３１２に塗布され、第２の表面３２９によって下流処理液が下流縁部３２１に塗布された後、ガラス処理装置３０１を用いてガラスリボン１０４を処理する方法は、上流アプリケータ３０９を第２の上流位置に移動させるステップを含むことができる。上流アプリケータ３０９が第２の上流位置にあるとき、第１の表面３１９は、ガラスリボン１０４の移動経路３０７の外側にあってよく、従ってガラスリボン１０４の移動経路３０７は、上流アプリケータ３０９の第１の表面３１９と交差しない。従ってガラスリボン１０４は、ガラスリボン１０４を上流アプリケータ３０９の第１の表面３１９に係合させることなく、移動経路３０７の移動方向３０５に沿って移動させることができる。いくつかの実施形態では、ガラス処理装置３０１を用いてガラスリボン１０４を処理する方法は、上流アプリケータ３０９を第２の上流位置に移動させ（例えば回転させ）ながら、上流アプリケータ３０９の第１の表面３１９を、第１の上流位置（例えば図５〜６を参照）から第２の上流位置（図７〜８を参照）へと、回転方向７０１に軸の周りで回転させるステップを含むことができる。第１の表面３１９は第２の上流位置へと回転でき、従って第１の表面３１９は移動経路３０７内に存在しなくなる。
【００７３】
図８を参照すると、第１の表面３１９を第２の上流位置に移動させた後、ガラス処理装置３０１を用いてガラスリボン１０４を処理する方法は、上流アプリケータ３０９が第２の上流位置にある状態のまま、ガラスリボン１０４を上流アプリケータ３０９の第１の表面３１９に係合させることなく、ガラスリボン１０４を移動経路３０７の移動方向３０５に沿って移動させ続けるステップを含むことができる。例えばローラ３０３は、（例えば図示されている実施形態では反時計回り方向に）回転して、ガラスリボン１０４を移動経路３０７に沿って移動方向３０５に搬送できる。第１の表面３１９は第２の上流位置にあることができるため、移動経路３０７に沿ったガラスリボン１０４の移動は、上流アプリケータ３０９の第１の表面３１９によって阻害又は阻止されないものとすることができる。
【００７４】
いくつかの実施形態では、ガラス処理装置３０１を用いてガラスリボン１０４を処理する方法は、下流アプリケータ３１１を第２の下流位置に移動させるステップを含むことができる。下流アプリケータ３１１が第２の下流位置にあるとき、第２の表面３２９はガラスリボン１０４の移動経路３０７の外側にあり、従ってガラスリボン１０４の移動経路３０７は下流アプリケータ３１１の第２の表面３２９と交差しない。いくつかの実施形態では、ガラス処理装置３０１を用いてガラスリボン１０４を処理する方法は、下流アプリケータ３１１を第２の下流位置に移動させ（例えば回転させ）ながら、下流アプリケータ３１１の第２の表面３２９を、第１の下流位置（図７を参照）から第２の下流位置（図８を参照）へと、軸の周りで回転方向８０１（図８を参照）に回転させるステップを含むことができる。第２の表面３２９は第２の下流位置へと回転でき、従って第２の表面３２９は移動経路３０７内に存在しなくなる。従って下流アプリケータ３１１が第２の下流位置にあることにより、ガラスリボン１０４の下流に位置する第２のガラスリボンを、下流アプリケータ３１１に係合させることなく、移動経路３０７の移動方向３０５に沿って移動させることができる。第２のガラスリボンは、図３に示されている位置まで移動させることができ、その結果、ガラス処理装置３０１は第２のガラスリボンの縁部を、ガラスリボン１０４に関して本明細書に記載したものと同様の様式で処理できる。
【００７５】
図９〜１０は、ガラスリボン１０４及びガラス処理装置３０１の上面図を示す。図９に示されているように、いくつかの実施形態では、ガラスリボン１０４は初め、アプリケータ３０９、３１１、３３３に対して整列されていなくてよい。例えば初め、上流アプリケータ３０９及び下流アプリケータ３１１は、（例えば図４に示されている）第２の上流位置及び第２の下流位置にあってよい。ガラスリボン１０４が移動経路３０７の移動方向３０５に沿って移動する際、ガラスリボン１０４は誤整列状態であってよいため、上流縁部３１２は上流アプリケータ３０９に対して平行でなくてよく、及び／又は下流縁部３２１は下流アプリケータ３１１に対して平行でなくてよい。このような誤整列は、アプリケータ３０９、３１１、３３３が上流縁部３１２、下流縁部３２１、第１の側方縁部１５３、及び／又は第２の側方縁部１５５に十分に接触できないため、望ましくない場合がある。その結果、上流処理液、下流処理液、及び／又は側面処理液が、上流縁部３１２、下流縁部３２１、第１の側方縁部１５３、及び／又は第２の側方縁部１５５に十分に塗布されない場合がある。
【００７６】
この誤整列を修正するために、いくつかの実施形態では、上流アプリケータ３０９及び下流アプリケータ３１１は、ガラスリボン１０４をガラス処理装置３０１に対して整列させることができ、これにより、上流縁部３１２を上流アプリケータ３０９に対して平行とすることができ、下流縁部３２１を下流アプリケータ３１１に対して平行とすることができる。例えば上流アプリケータ３０９は、（例えば図３に示されている）第２の上流位置から（例えば図５に示されている）第１の上流位置に移動できる。上流アプリケータ３０９が、移動経路３０７内に存在する第１の上流位置にあることにより、下流アプリケータ３１１は、（例えば図５に示されている）第２の下流位置から（例えば図６に示されている）第１の上流位置に移動できる。下流アプリケータ３１１の第２の表面３２９がガラスリボン１０４の下流縁部３２１に係合すると、第２の表面３２９は下流縁部３２１に対して、上流方向６０１に沿って力を印加できる。この力は、ガラスリボン１０４の上流縁部３１２を上流アプリケータ３０９の第１の表面３１９に係合させることができる。図１０に示されているように、第１の表面３１９及び第２の表面３２９は、ガラスリボン１０４を挟んで、ガラス処理装置３０１に対してガラスリボン１０４を整列させることができる。例えばガラスリボン１０４が第１の表面３１９及び第２の表面３２９によって係合されて、これらの間に挟まれると、ガラスリボン１０４の上流縁部３１２は、上流アプリケータ３０９の第１の表面３１９に対して平行となることができ、また一方でガラスリボン１０４の下流縁部３２１は下流アプリケータ３１１の第２の表面３２９に対して平行となることができる。
【００７７】
いくつかの実施形態では、ガラスリボン１０４をガラス処理装置３０１に対して整列させた状態で、ガラス処理装置３０１を用いてガラスリボン１０４を処理する方法は、ガラスリボン１０４を移動方向３０５に移動させながら、側面処理液を第１の側方縁部１５３及び第２の側方縁部１５５のうちの１つ以上に塗布するステップを含むことができる。例えば、ガラスリボン１０４を整列させた後、上流アプリケータ３０９を第２の上流位置に移動させることができ、下流アプリケータ３１１を第２の下流位置に移動させることができる。これにより、上流アプリケータ３０９及び下流アプリケータ３１１をガラスリボン１０４の移動経路３０７から出すことができる。
【００７８】
側面アプリケータの第１の列３３５は、ガラスリボン１０４の第１の側方縁部１５３に沿って位置決めでき、その一方で側面アプリケータの第２の列３３７は、ガラスリボン１０４の第２の側方縁部１５５に沿って位置決めできる。いくつかの実施形態では、側面アプリケータの第１の列３３５は側面処理液（例えば第１の側面処理液）を第１の側方縁部１５３に塗布でき、その一方で側面アプリケータの第２の列３３７は側面処理液（例えば第２の側面処理液）を第２の側方縁部１５５に塗布できる。ガラスリボン１０４は、移動方向３０５及び／又は移動方向３０５の反対に移動させることができ、ここで側面処理液が側方縁部１５３、１５５に塗布される。いくつかの実施形態では、移動方向３０５及び移動方向３０５の反対に移動させることにより、ローラ３０３は、例えばまず第１の回転方向（例えば反時計回り）に回転し、そして次に第２の回転方向（例えば時計回り）に回転するというように、往復運動で選択的に回転できる。この往復運動の回転移動により、ガラスリボン１０４を前後に、例えば上流方向６０１の後に下流方向５０１に、移動させることができる。これによりガラスリボン１０４は、少なくともガラスリボン１０４の第１の側方縁部１５３及び第２の側方縁部１５５が十分に処理されるまで、側面アプリケータ３３３に沿って繰り返し移動できる。
【００７９】
図１１を参照すると、側面アプリケータの第１の列３３５及び／又は側面アプリケータの第２の列３３７の、少なくとも１つの側面アプリケータ３３３のいくつかの実施形態が図示されている。側面アプリケータ３３３は、ガラスリボン１０４に沿って位置決めでき、ガラスリボン１０４が移動方向３０５に移動する際に、側面処理液を第１の側方縁部１５３及び／又は第２の側方縁部１５５に塗布できる。いくつかの実施形態では、側面アプリケータ３３３は、本体１１０１を備えることができる。本体１１０１は実質的に中空とすることができ、側面処理液を貯蔵できるリザーバ１１０３を画定してよい。いくつかの実施形態では、本体１１０１は、リザーバ１１０３と流体連通してよい流入口及び流出口を画定できる。リザーバ１１０３は流入口を通して側面処理液を受け入れることができ、また流出口を通して側面処理液を吐出できる。いくつかの実施形態では、リザーバ１１０３は、リザーバ１１０３を通る側面処理液の流れを促進するために、１ポンド毎平方インチ（６８９４．７６Ｐａ）未満等の低圧に維持できる。
【００８０】
いくつかの実施形態では、側面アプリケータ３３３は導管１１０５を備えることができ、これはリザーバ１１０３の流出口に取り付けられていてよい。導管１１０５は、管、パイプ、ホース、ダクト等で構成されていてよい。いくつかの実施形態では、導管１１０５はリザーバ１１０３と流体連通してよく、これにより導管１１０５は、リザーバ１１０３から側面処理液を受け取ることができる。導管１１０５は先端１１０６を備えることができ、これは、本体１１０１とは反対側の導管１１０５の端部に位置決めされていてよい第１の壁１１０７及び第２の壁１１０９を備える。いくつかの実施形態では、第１の壁１１０７及び第２の壁１１０９は、チャネル１１１１を画定するように離間させることができる。側面アプリケータ３３３は、移動方向３０５を横断して延在する横方向３４７（例えば図４及び１０に示されている横方向３４７）を向いた、チャネル１１１１を備えることができる。いくつかの実施形態では、チャネル１１１１は、ガラスリボン１０４の第１の側方縁部１５３又は第２の側方縁部１５５を受承するようにサイズ設定されていてよく、これにより、ガラスリボン１０４が移動方向３０５に移動する際、第１の側方縁部１５３又は第２の側方縁部１５５はチャネル１１１１内で移動できる。いくつかの実施形態では、チャネル１１１１は、ガラスリボン１０４を受承するようにサイズ設定でき、ここでガラスリボン１０４は、約０．７ｍｍ以下であってよい厚さを有する。いくつかの実施形態では、第１の壁１１０７及び第２の壁１１０９は、可撓性材料で構成でき、これは、側方縁部１５３、１５５のうちの一方が第１の壁１１０７又は第２の壁１１０９と接触した場合に、第１の側方縁部１５３及び第２の側方縁部１５５に対する意図しない損傷のリスクを低減できる。例えば、第１の壁１１０７及び第２の壁１１０９は、発泡材料、多孔質ポリプロピレン材料等で構成できる。
【００８１】
いくつかの実施形態では、第１の側方縁部１５３又は第２の側方縁部１５５が、第１の壁１１０７及び第２の壁１１０９に接触することなく、第１の壁１１０７と第２の壁１１０９との間を通過する際に、側面処理液を塗布できる。例えば、側面処理液は、第１の壁１１０７と第２の壁１１０９との間のチャネル１１１１内にメニスカスを形成でき、これにより、第１の側方縁部１５３又は第２の側方縁部１５５は、第１の壁１１０７及び第２の壁１１０９に接触することなく、このメニスカスを通過できる。いくつかの実施形態では、第１の壁１１０７及び第２の壁１１０９は、発泡多孔質ポリプロピレン材料に加えて、不織ポリテトラフルオロエチレン材料で構成してよい。いくつかの実施形態では、先端１１０６は着脱可能及び交換可能とすることができる。例えばある使用期間の後には、先端１１０６を新しい先端と交換することが望ましい場合がある。
【００８２】
いくつかの実施形態では、先端１１０６は、リザーバ１１０３から導管１１０５を通して側面処理液を受け取ることができる。先端１１０６が可撓性及び／又は多孔質材料で構成されることにより、先端１１０６に側面処理液を含浸させることができる。いくつかの実施形態では、チャネル１１１１の少なくとも一部に側面処理液を充填できる。ガラスリボン１０４が移動方向３０５に移動する際、第１の側方縁部１５３又は第２の側方縁部１５５がチャネル１１１１内に受承され得、側面アプリケータ３３３に対して移動できる。チャネル１１１１の少なくとも一部に側面処理液が充填されていることにより、ガラスリボン１０４が側面アプリケータ３３３に対して移動する際に、第１の側方縁部１５３又は第２の側方縁部１５５を側面処理液でコーティングできる。いくつかの実施形態では、側面処理液は、ガラス製造プロセスの産物であり得る、第１の側方縁部１５３又は第２の側方縁部１５５の付着ガラス粒子等の粒子を削減できる。他の実施形態では、ガラスリボン１０４が側面アプリケータ３３３に対して移動する際に、先端１１０６は、第１の側方縁部１５３又は第２の側方縁部１５５を擦り洗いすることができる。このように、側面処理液の塗布及び／又は第１の側方縁部１５３若しくは第２の側方縁部１５５の擦り洗いにより、ガラスリボン１０４の側方縁部１５３、１５５の粒子及び意図しない擦傷を削減できる。
【００８３】
図１２を参照すると、側面アプリケータの第１の列３３５及び／又は側面アプリケータの第２の列３３７の、側面アプリケータ１２００の更なる実施形態が図示されている。いくつかの実施形態では、側面アプリケータ１２００は本体１２０１を備えることができる。本体１２０１は少なくとも部分的に中空とすることができ、シャフト１２０３を受承してよい。いくつかの実施形態では、側面アプリケータ１２００は、回転軸１２０７の周りで回転可能であってよい側方表面１２０５を備える。側方表面１２０５は、例えばシャフト１２０３を巡って周方向に延在することによって、シャフト１２０３に取り付けることができる。いくつかの実施形態では、シャフト１２０３は、回転軸１２０７の周りで回転可能とすることができ、従って側方表面１２０５も同様に、回転軸１２０７の周りで回転可能となり得る。例えばいくつかの実施形態では、側方表面１２０５はローラを備えることができる。いくつかの実施形態では、側方表面１２０５は可撓性材料で構成でき、これは、第１の側方縁部１５３及び第２の側方縁部１５５に対する意図しない損傷のリスクを低減できる。例えば、側方表面１２０５は、発泡材料、多孔質ポリプロピレン材料等で構成できる。
【００８４】
側面アプリケータ１２００は、側面処理液を側方表面１２０５に送達する供給導管１２０９を備えることができる。いくつかの実施形態では、側方表面１２０５が可撓性及び／又は多孔質材料で構成されることにより、側方表面１２０５に側面処理液を含浸させることができる。側面アプリケータ１２００は回収リザーバ１２１１を備えることができ、これは、シャフト１２０３及び側方表面１２０５の下方に配置されていてよい。いくつかの実施形態では、回収リザーバ１２１１は、リザーバを画定する壁を備えることができる。回収リザーバ１２１１は、シャフト１２０３、側方表面１２０５、及び／又は供給導管１２０９から、側面処理液の少なくとも一部を再捕集できる。例えば、側面処理液がシャフト１２０３、側方表面１２０５、及び／又は供給導管１２０９から垂れると、側面処理液は回収リザーバ１２１１内に落下する。いくつかの実施形態では、側面アプリケータ１２００はポンプを備えることができ、これは、回収した側面処理液を回収リザーバ１２１１から供給導管１２０９へと再循環させることができる。
【００８５】
ガラスリボン１０４が移動方向３０５に移動する際、第１の側方縁部１５３又は第２の側方縁部１５５は側方表面１２０５に接触及び／又は係合してよく、側面アプリケータ１２００に対して移動できる。側方表面１２０５に供給導管１２０９からの側面処理液が含浸及び／又はコーティングされていることにより、第１の側方縁部１５３又は第２の側方縁部１５５が側方表面１２０５に接触すると、第１の側方縁部１５３又は第２の側方縁部１５５を側面処理液でコーティングできる。いくつかの実施形態では、ガラスリボン１０４が側面アプリケータ１２００に対して移動して、第１の側方縁部１５３又は第２の側方縁部１５５が側方表面１２０５に係合すると、側方表面１２０５は回転軸１２０７の周りで回転できる。例えば、側方表面１２０５及びシャフト１２０３は、側方縁部１５３、１５５と側方表面１２０５との間の係合によって、回転軸１２０７の周りで回転できる。いくつかの実施形態では、側方表面１２０５及びシャフト１２０３は自由に回転可能であってよく、外部ソース（例えばモータ）によって駆動する必要がなく、従って、ガラスリボン１０４の移動、及び側方縁部１５３、１５５と側方表面１２０５との間の係合が、側方表面１２０５の回転を引き起こすことができる。いくつかの実施形態では、側方表面１２０５及びシャフト１２０３は、外部ソース（例えばモータ）によって回転させることができ、従って側方表面１２０５は、（例えば側方表面１２０５が回転する速度を増減させることによって）ガラスリボン１０４が移動する速度を少なくとも部分的に支配できる。いくつかの実施形態では、側方表面１２０５によって塗布される側面処理液は、ガラス製造プロセスの産物であり得る、第１の側方縁部１５３又は第２の側方縁部１５５の付着ガラス粒子等の粒子を削減できる。更に、又はあるいは、ガラスリボン１０４が側面アプリケータ１２００に対して移動する際に、側方表面１２０５と第１の側方縁部１５３又は第２の側方縁部１５５との間の接触は、第１の側方縁部１５３又は第２の側方縁部１５５を擦り洗いすることができる。このように、側面処理液の塗布及び／又は第１の側方縁部１５３若しくは第２の側方縁部１５５の擦り洗いにより、ガラスリボン１０４の側方縁部１５３、１５５の粒子及び意図しない擦傷を削減できる。
【００８６】
図１３を参照すると、側面アプリケータの第１の列３３５及び／又は側面アプリケータの第２の列３３７の、側面アプリケータ１３００の更なる実施形態が図示されている。いくつかの実施形態では、側面アプリケータ１３００は本体１３０１を備えることができる。本体１３０１は、側面処理液を貯蔵できるリザーバ１３０３を備えることができる。いくつかの実施形態では、側面アプリケータ１３００は、側面処理液をリザーバ１３０３に送達できるソースを備えてよい。いくつかの実施形態では、リザーバ１３０３の１つの側部は、ゲート１３０５によって境界を定められていてよい。図１３に示されているように、ゲート１３０５は閉鎖位置にあってよいが、開放位置へと移動可能であってよい。ゲートが閉鎖位置にあるときは、側面処理液をリザーバ１３０３内に格納して、リザーバ１３０３からの流出を制限できる。ゲート１３０５は、例えばゲートを持ち上げることによって、開放位置へと移動させることができ、その結果、側面処理液はリザーバ１３０３を出て、ゲート１３０５を通って流れる。
【００８７】
いくつかの実施形態では、側面アプリケータ１３００は、移動方向３０５を横断して延在する横方向３４７を向いた、上流アプリケータ３０９の第１の表面３１９及び／又は下流アプリケータ３１１の第２の表面３２９に対して平行な側方表面１３０７を備えることができる。側方表面１３０７は、ゲート１３０５の下方、かつリザーバ１３０３の下流に位置決めできる。ゲート１３０５が開放位置にあるとき、側面処理液は側方表面１３０７に沿って下向きに流れることができる。側面アプリケータ１３００は回収リザーバ１３０９を備えることができ、これは、側方表面１３０７の下方に配置されていてよい。いくつかの実施形態では、回収リザーバ１３０９は、ボウル、トラフ、又は側方表面１３０７から処理液を受承できる他の容器で構成できる。回収リザーバ１３０９は、側方表面１３０７を流れ落ちる側面処理液の少なくとも一部を再捕集できる。例えば、側面処理液が側方表面１３０７を流れ落ちると、側面処理液の少なくとも一部は回収リザーバ１３０９内に落下する。いくつかの実施形態では、側面アプリケータ１３００はポンプを備えることができ、これは、回収した側面処理液を回収リザーバ１３０９からリザーバ１３０３へと再循環させることができる。
【００８８】
いくつかの実施形態では、側面処理液を第１の側方縁部１５３及び第２の側方縁部１５５のうちの１つ以上に塗布するステップは、側面処理液を、移動方向３０５を横断して延在する横方向３４７を向いた側方表面１３０７に沿って流れるように案内するステップを含むことができる。例えば、ガラスリボン１０４が移動方向に移動する際、第１の側方縁部１５３又は第２の側方縁部１５５は、側方表面１３０７に近接していてよい。いくつかの実施形態では、ガラスリボン１０４は移動経路３０７に沿って配向でき、これにより、第１の側方縁部１５３又は第２の側方縁部１５５は、側方表面１３０７を流れ落ちる側面処理液を通過できる。側方表面１３０７によって第１の側方縁部１５３又は第２の側方縁部１５５に塗布される側面処理液は、第１の側方縁部１５３又は第２の側方縁部１５５の付着ガラス粒子等の粒子を削減できる。
【００８９】
本開示のいくつかの実施形態では、ガラス処理装置３０１は、ガラスリボン１０４の縁部１５３、１５５、３１２、３２１の処理の改善を提供できる。例えば、ガラスリボン１０４を処理液に沈めるのではなく、ガラス処理装置３０１によってガラスリボン１０４の局所的な処理が可能になる。即ち、アプリケータ３０９、３１１、３３３は、ガラスリボン１０４の縁部１５３、１５５、３１２、３２１を処理できる一方で、ガラスリボン１０４の中央部分１５２を処理しないままとすることができる。これらの実施形態では、アプリケータ３０９、３１１、３３３は、処理液を縁部１５３、１５５、３１２、３２１に塗布でき、及び／又は縁部を擦り洗いでき、従って、縁部１５３、１５５、３１２、３２１に沿って蓄積される可能性がある望ましくないガラス粒子を削減できる。いくつかの実施形態では、このような様々な処理液は、異なる複数の処理液とすることができ、これにより、１つの処理液を１つの縁部１５３、１５５、３１２、３２１に塗布しながら、別の異なる処理液を異なる縁部１５３、１５５、３１２、３２１に塗布できる。
【００９０】
本明細書中で使用される場合、ガラスシートがガラスリボン１０４の１つのタイプであり得ることが理解されるだろう。例えばいくつかの実施形態では、ガラスリボン１０４は、貯蔵用ロール上に巻かれたある長さのガラスリボン、加工中のガラスリボン（例えばガラスリボンが連続的に形成される場合）、又はガラスリボン１０４を、ガラスシートを構成するガラスリボンの複数の部分に切断する場合を含むことができる。このようにして、ガラスリボン１０４の一部分をガラスシートとすることができる。いくつかの実施形態では、ガラスリボン１０４の縁部１５３、１５５、３１２、３２１のうちの１つ以上は、ガラスリボン１０４の上記部分の切断前、切断中、又は切断後に、処理液で処理できる。例えばいくつかの実施形態では、側面アプリケータ３３３、１２００、１３００は、ガラスリボン１０４をガラスリボン１０４の部分（例えばガラスシート）へと（例えばインラインプロセスの一部として）切断する前に、ガラスリボン１０４の側方縁部１５３、１５５を処理できる。これらの実施形態では、ガラスリボン１０４の側方縁部１５３、１５５は、上流縁部３１２及び下流縁部３２１の処理の前に、並びに／又は上記処理を実施せずに、処理でき、ここで側方縁部１５３、１５５は、縁部ビードを除去した後に処理される。更に、又はあるいは、上流アプリケータ３０９は、ガラスリボン１０４をガラスリボン１０４の一部分（例えばガラスシート）へと（例えばインラインプロセスの一部として）切断する前に、ガラスリボン１０４の上流縁部３１２を処理できる。いくつかの実施形態では、（例えば図３〜１０に示されている）ガラスシートは、ガラスリボン１０４の一部分又は１つのタイプであってよく、本明細書に記載されているように処理液で処理してよい。
【００９１】
従って、以下の非限定的な実施形態は、本開示の例である。
【００９２】
実施形態１．
ガラス処理装置は、第１の表面を備える上流アプリケータを備え、上記第１の表面は、上記第１の表面が上記ガラス処理装置の移動経路内に、上記移動経路の移動方向にわたって延在し、かつ上記移動方向に対向する下流方向を向いた状態で、存在する、第１の上流位置と、上記第１の表面が上記移動経路の外側に存在する第２の上流位置との間で、移動可能である。
【００９３】
実施形態２．
上記上流アプリケータの上記第１の表面は、上記第１の上流位置と上記第２の上流位置との間で回転可能とすることができる、実施形態１に記載のガラス処理装置。
【００９４】
実施形態３．
第２の表面を備える下流アプリケータを更に備え、上記第２の表面は、上記第２の表面が上記移動経路内に、上記移動経路の上記移動方向にわたって延在し、かつ上記移動方向において上流方向を向いた状態で、存在する、第１の下流位置と、上記移動経路の外側である第２の下流位置との間で、移動可能とすることができる、実施形態１又は２に記載のガラス処理装置。
【００９５】
実施形態４．
上記下流アプリケータの上記第２の表面は、上記第１の下流位置と上記第２の下流位置との間で回転可能とすることができる、実施形態３に記載のガラス処理装置。
【００９６】
実施形態５．
上記上流アプリケータの上記第１の表面は、上記下流アプリケータの上記第２の表面と平行とすることができる、実施形態１〜４のいずれか１つに記載のガラス処理装置。
【００９７】
実施形態６．
ガラス処理装置であって、上記ガラス処理装置は、第２の表面を備える下流アプリケータを備え、上記第２の表面は、上記第２の表面が上記ガラス処理装置の移動経路内に、上記移動経路の移動方向にわたって延在し、かつ上記移動方向において上流方向を向いた状態で、存在する、第１の下流位置と、上記移動経路の外側である第２の下流位置との間で、移動可能とすることができる、ガラス処理装置。
【００９８】
実施形態７．
上記下流アプリケータの上記第２の表面は、上記第１の下流位置と上記第２の下流位置との間で回転可能とすることができる、実施形態６に記載のガラス処理装置。
【００９９】
実施形態８．
側面アプリケータを更に備える、実施形態１〜７のいずれか１つに記載のガラス処理装置。
【０１００】
実施形態９．
上記側面アプリケータは、上記移動方向を横断して延在する横方向を向いた、チャネルを備えることができる、実施形態８に記載のガラス処理装置。
【０１０１】
実施形態１０．
上記側面アプリケータは、回転軸の周りで回転可能な側方表面を備えることができる、実施形態８に記載のガラス処理装置。
【０１０２】
実施形態１１．
上記側面アプリケータは、上記移動方向を横断して延在する横方向を向いた、上記下流アプリケータの上記第２の表面に対して平行な、側方表面を備えることができる、実施形態８に記載のガラス処理装置。
【０１０３】
実施形態１２．
実施形態１及び３のいずれか一方に記載のガラス処理装置を用いて、ガラスリボンを成形する方法。上記方法は、上記ガラスリボンを上記移動経路の上記移動方向に沿って移動させるステップを含むことができる。上記方法は更に、上流縁部を、上記第１の上流位置に位置決めされた上記上流アプリケータの上記第１の表面に係合させることによって、上記ガラスリボンの上記上流縁部に上流処理液を塗布するステップを含むことができる。上記方法は更に、上記上流アプリケータを上記第２の上流位置に移動させるステップを含むことができる。上記方法は更に、上記上流アプリケータを上記第２の上流位置に位置決めした状態のまま、上記ガラスリボンを上記上流アプリケータの上記第１の表面に係合させることなく、上記ガラスリボンを上記移動経路の上記移動方向に沿って移動させ続けるステップを含むことができる。
【０１０４】
実施形態１３．
上記上流処理液を塗布する上記ステップの間又は前に、上記第１の表面を上記第２の上流位置から上記第１の上流位置へと回転させるステップを更に含む、実施形態１２に記載の方法。
【０１０５】
実施形態１４．
上記上流アプリケータを上記第２の上流位置に移動させる上記ステップ中に、上記上流アプリケータの上記第１の表面を上記第１の上流位置から上記第２の上流位置へと回転させるステップを更に含む、実施形態１２又は１３に記載の方法。
【０１０６】
実施形態１５．
上記下流縁部を、上記第１の下流位置に位置決めされた上記下流アプリケータの上記第２の表面に係合させることによって、下流処理液を上記ガラスリボンの下流縁部に塗布するステップを更に含む、実施形態１２〜１４のいずれか１つに記載の方法。
【０１０７】
実施形態１６．
上記下流処理液を塗布する上記ステップの間又は前に、上記第２の表面を上記第２の下流位置から上記第１の下流位置に移動させるステップを更に含む、実施形態１５に記載の方法。
【０１０８】
実施形態１７．
上記第２の表面を上記第２の下流位置から上記第１の下流位置に移動させる上記ステップの間に、上記下流アプリケータの上記第２の表面を上記第２の下流位置から上記第１の下流位置へと回転させるステップを更に含む、実施形態１６に記載の方法。
【０１０９】
実施形態１８．
上記第２の表面を上記第２の下流位置から上記第１の下流位置に移動させる上記ステップにより、上記第１の表面が上記上流処理液を上記ガラスリボンの上記上流縁部に塗布するように、上記ガラスリボンの上記上流縁部を、上記第１の上流位置に位置決めされた上記上流アプリケータの上記第１の表面に係合させることができる、実施形態１６又は１７に記載の方法。
【０１１０】
実施形態１９．
上記ガラス処理装置を用いてガラスリボンを処理する方法は、上記下流縁部を、上記第１の下流位置に位置決めされた上記下流アプリケータの上記第２の表面に係合させることによって、下流処理液を上記ガラスリボンの下流縁部に塗布するステップを含むことができる。
【０１１１】
実施形態２０．
上記下流処理液を塗布する上記ステップの間又は前に、上記第２の表面を上記第２の下流位置から上記第１の下流位置に移動させるステップを更に含む、実施形態１９に記載の方法。
【０１１２】
実施形態２１．
上記第２の表面を上記第２の下流位置から上記第１の下流位置に移動させる上記ステップの間に、上記下流アプリケータの上記第２の表面を上記第２の下流位置から上記第１の下流位置へと回転させるステップを更に含む、実施形態２０に記載の方法。
【０１１３】
実施形態２２．
上記ガラスリボンを上記移動方向に移動させながら、側面処理液を、第１の側方縁部及び第２の側方縁部のうちの１つ以上に塗布するステップを更に含む、実施形態１２〜２１のいずれか１つに記載の方法。
【０１１４】
実施形態２３．
上記側面処理液を、上記第１の側方縁部及び上記第２の側方縁部のうちの１つ以上に塗布する上記ステップは、上記側面処理液を、上記移動方向を横断して延在する横方向を向いた、上記下流アプリケータの上記第２の表面に対して平行な側方表面に沿って流れるように案内するステップを含むことができる、実施形態２２に記載の方法。
【０１１５】
実施形態２４．
上記上流処理液、上記下流処理液、及び上記側面処理液のうちの１つ以上は、フッ化水素酸及び塩酸のうちの１つ以上を含むことができる、実施形態１２〜２３のいずれか１つに記載の方法。
【０１１６】
本明細書で使用される場合、用語「上記（ｔｈｅ）」、「ある（ａ又はａｎ）」は、「少なくとも１つ（ａｔ  ｌｅａｓｔ  ｏｎｅ）」を意味しており、文脈によってそうでないことが明示されていない限り、「唯一の（ｏｎｌｙ  ｏｎｅ）」に限定されないものとする。よって例えば「ある構成部品（ａ  ｃｏｍｐｏｎｅｎｔ）」に関する言及は、文脈によってそうでないことが明示されていない限り、２つ以上のこのような構成部品を有する実施形態を含む。
【０１１７】
本明細書中で使用される場合、用語「約（ａｂｏｕｔ）」は、量、サイズ、処方、パラメータ、並びに他の量及び特徴が、正確ではなくかつ正確である必要がないものの、必要に応じて許容誤差、換算係数、丸め、測定誤差等、及び当業者に公知のその他の因子を反映した、おおよそのもの、及び／又は大きい若しくは小さいものであってよいことを意味している。一般に、量、サイズ、処方、パラメータ、又は他の量若しくは特徴は、そのように明記されているかいないかにかかわらず、「約」又は「おおよそ（ａｐｐｒｏｘｉｍａｔｅ）」のものである。用語「約」がある値又はある範囲のある端点を記述する際に使用される場合、本開示は、言及された具体的な値又は端点を含むことを理解されたい。本明細書中の数値又は範囲の端点が「約」として記載されているかどうかにかかわらず、上記数値又は範囲の端点は、２つの実施形態、即ち：「約」で修飾された実施形態、及び「約」で修飾されていない実施形態を含むことを目的としている。更に、各範囲の端点は、他の端点との関連においても、他の端点とは独立したものとしても、重要であることが理解されるだろう。
【０１１８】
本明細書中で使用される場合、用語「約（ａｂｏｕｔ）」は、量、サイズ、処方、パラメータ、並びに他の量及び特徴が、正確ではなくかつ正確である必要がないものの、必要に応じて許容誤差、換算係数、丸め、測定誤差等、及び当業者に公知のその他の因子を反映した、おおよそのもの、及び／又は大きい若しくは小さいものであってよいことを意味している。一般に、量、サイズ、処方、パラメータ、又は他の量若しくは特徴は、そのように明記されているかいないかにかかわらず、「約」又は「おおよそ（ａｐｐｒｏｘｉｍａｔｅ）」のものである。用語「約」がある値又はある範囲のある端点を記述する際に使用される場合、本開示は、言及された具体的な値又は端点を含むことを理解されたい。本明細書中の数値又は範囲の端点が「約」として記載されているかどうかにかかわらず、上記数値又は範囲の端点は、２つの実施形態、即ち：「約」で修飾された実施形態、及び「約」で修飾されていない実施形態を含むことを目的としている。更に、各範囲の端点は、他の端点との関連においても、他の端点とは独立したものとしても、重要であることが理解されるだろう。
【０１１９】
本明細書中で使用される場合、用語「実質的な（ｓｕｂｓｔａｎｔｉａｌ）」、「実質的に（ｓｕｂｓｔａｎｔｉａｌｌｙ）」、及びその変化形は、記載されている特徴が、ある値又は記述に等しい又はおおよそ等しいことを述べることを意図したものである。例えば、「実質的に平面状の（ｓｕｂｓｔａｎｔｉａｌｌｙ  ｐｌａｎａｒ）」表面は、平面状又はおおよそ平面状の表面を示すことを意図したものである。更に、「実質的に（ｓｕｂｓｔａｎｔｉａｌｌｙ）」は、２つの値が等しい又はおおよそ等しいことを示すことを意図したものである。いくつかの実施形態では、「実質的に」は、互いの約１０％以内、例えば互いの約５％以内、又は互いの約２％以内の値を示してよい。
【０１２０】
本明細書中で使用される場合、用語「…を備える（ｃｏｍｐｒｉｓｉｎｇ）」及び「…を含む（ｉｎｃｌｕｄｉｎｇ）」、並びにこれらの変化形は、特段の記載がない限り、同義、かつ非制限的なものとして解釈されるものとする。
【０１２１】
様々な実施形態を、その特定の例示的かつ具体的な実施形態を参照して詳細に説明したが、以下の特許請求の範囲から逸脱することなく、本開示の特徴の多数の修正及び組み合わせが可能であるため、本開示はこのように限定されるものとみなしてはならないことを理解されたい。
【０１２２】
以下、本発明の好ましい実施形態を項分け記載する。
【０１２３】
実施形態１
ガラス処理装置であって、上記ガラス処理装置は、第１の表面を備える上流アプリケータを備え、上記第１の表面は、上記第１の表面が上記ガラス処理装置の移動経路内に、上記移動経路の移動方向にわたって延在し、かつ上記移動方向に対向する下流方向を向いた状態で、存在する、第１の上流位置と、上記第１の表面が上記移動経路の外側に存在する第２の上流位置との間で、移動可能である、ガラス処理装置。
【０１２４】
実施形態２
上記上流アプリケータの上記第１の表面は、上記第１の上流位置と上記第２の上流位置との間で回転可能である、実施形態１に記載のガラス処理装置。
【０１２５】
実施形態３
第２の表面を備える下流アプリケータを更に備え、上記第２の表面は、上記第２の表面が上記移動経路内に、上記移動経路の上記移動方向にわたって延在し、かつ上記移動方向において上流方向を向いた状態で、存在する、第１の下流位置と、上記移動経路の外側である第２の下流位置との間で、移動可能である、実施形態１又は２に記載のガラス処理装置。
【０１２６】
実施形態４
上記下流アプリケータの上記第２の表面は、上記第１の下流位置と上記第２の下流位置との間で回転可能である、実施形態３に記載のガラス処理装置。
【０１２７】
実施形態５
上記上流アプリケータの上記第１の表面は、上記下流アプリケータの上記第２の表面と平行である、実施形態１〜４のいずれか１つに記載のガラス処理装置。
【０１２８】
実施形態６
ガラス処理装置であって、上記ガラス処理装置は、第２の表面を備える下流アプリケータを備え、上記第２の表面は、上記第２の表面が上記ガラス処理装置の移動経路内に、上記移動経路の移動方向にわたって延在し、かつ上記移動方向において上流方向を向いた状態で、存在する、第１の下流位置と、上記移動経路の外側である第２の下流位置との間で、移動可能である、ガラス処理装置。
【０１２９】
実施形態７
上記下流アプリケータの上記第２の表面は、上記第１の下流位置と上記第２の下流位置との間で回転可能である、実施形態６に記載のガラス処理装置。
【０１３０】
実施形態８
側面アプリケータを更に備える、実施形態１〜７のいずれか１つに記載のガラス処理装置。
【０１３１】
実施形態９
上記側面アプリケータは、上記移動方向を横断して延在する横方向を向いた、チャネルを備える、実施形態８に記載のガラス処理装置。
【０１３２】
実施形態１０
上記側面アプリケータは、回転軸の周りで回転可能な側方表面を備える、実施形態８に記載のガラス処理装置。
【０１３３】
実施形態１１
上記側面アプリケータは、上記移動方向を横断して延在する横方向を向いた、上記下流アプリケータの上記第２の表面に対して平行な、側方表面を備える、実施形態８に記載のガラス処理装置。
【０１３４】
実施形態１２
実施形態１及び３のいずれか一方に記載のガラス処理装置を用いて、ガラスリボンを成形する方法であって、上記方法は：
ガラスリボンを上記移動経路の上記移動方向に沿って移動させるステップ；
上流縁部を、上記第１の上流位置に位置決めされた上記上流アプリケータの上記第１の表面に係合させることによって、上記ガラスリボンの上記上流縁部に上流処理液を塗布するステップ；
上記上流アプリケータを上記第２の上流位置に移動させるステップ；及び
上記上流アプリケータを上記第２の上流位置に位置決めした状態のまま、上記ガラスリボンを上記上流アプリケータの上記第１の表面に係合させることなく、上記ガラスリボンを上記移動経路の上記移動方向に沿って移動させ続けるステップ
を含む、方法。
【０１３５】
実施形態１３
上記上流処理液を塗布する上記ステップの間又は前に、上記第１の表面を上記第２の上流位置から上記第１の上流位置へと回転させるステップを更に含む、実施形態１２に記載の方法。
【０１３６】
実施形態１４
上記上流アプリケータを上記第２の上流位置に移動させる上記ステップ中に、上記上流アプリケータの上記第１の表面を上記第１の上流位置から上記第２の上流位置へと回転させるステップを更に含む、実施形態１２又は１３に記載の方法。
【０１３７】
実施形態１５
上記下流縁部を、上記第１の下流位置に位置決めされた上記下流アプリケータの上記第２の表面に係合させることによって、下流処理液を上記ガラスリボンの下流縁部に塗布するステップを更に含む、実施形態１２〜１４のいずれか１つに記載の方法。
【０１３８】
実施形態１６
上記下流処理液を塗布する上記ステップの間又は前に、上記第２の表面を上記第２の下流位置から上記第１の下流位置に移動させるステップを更に含む、実施形態１５に記載の方法。
【０１３９】
実施形態１７
上記第２の表面を上記第２の下流位置から上記第１の下流位置に移動させる上記ステップの間に、上記下流アプリケータの上記第２の表面を上記第２の下流位置から上記第１の下流位置へと回転させるステップを更に含む、実施形態１６に記載の方法。
【０１４０】
実施形態１８
上記第２の表面を上記第２の下流位置から上記第１の下流位置に移動させる上記ステップにより、上記第１の表面が上記上流処理液を上記ガラスリボンの上記上流縁部に塗布するように、上記ガラスリボンの上記上流縁部を、上記第１の上流位置に位置決めされた上記上流アプリケータの上記第１の表面に係合させることができる、実施形態１６又は１７に記載の方法。
【０１４１】
実施形態１９
実施形態６に記載のガラス処理装置を用いてガラスリボンを処理する方法であって、上記方法は：
上記下流縁部を、上記第１の下流位置に位置決めされた上記下流アプリケータの上記第２の表面に係合させることによって、下流処理液を上記ガラスリボンの下流縁部に塗布するステップ
を含む、方法。
【０１４２】
実施形態２０
上記下流処理液を塗布する上記ステップの間又は前に、上記第２の表面を上記第２の下流位置から上記第１の下流位置に移動させるステップを更に含む、実施形態１９に記載の方法。
【０１４３】
実施形態２１
上記第２の表面を上記第２の下流位置から上記第１の下流位置に移動させる上記ステップの間に、上記下流アプリケータの上記第２の表面を上記第２の下流位置から上記第１の下流位置へと回転させるステップを更に含む、実施形態２０に記載の方法。
【０１４４】
実施形態２２
上記ガラスリボンを上記移動方向に移動させながら、側面処理液を、第１の側方縁部及び第２の側方縁部のうちの１つ以上に塗布するステップを更に含む、実施形態１２〜２１のいずれか１つに記載の方法。
【０１４５】
実施形態２３
上記側面処理液を、上記第１の側方縁部及び上記第２の側方縁部のうちの１つ以上に塗布する上記ステップは、上記側面処理液を、上記移動方向を横断して延在する横方向を向いた、上記下流アプリケータの上記第２の表面に対して平行な側方表面に沿って流れるように案内するステップを含む、実施形態２２に記載の方法。
【０１４６】
実施形態２４
上記上流処理液、上記下流処理液、及び上記側面処理液のうちの１つ以上は、フッ化水素酸及び塩酸のうちの１つ以上を含むことができる、実施形態１２〜２３のいずれか１つに記載の方法。
【符号の説明】
【０１４７】
１００      ガラス製造装置
１０１      ガラス成形装置
１０３      ガラスリボン
１０４      ガラスリボン、分割済みガラスリボン
１０５      溶融用容器
１０７      バッチ材料
１０９      貯蔵用蓋付き容器
１１１      バッチ送達デバイス
１１３      モータ
１１５      コントローラ
１１７      矢印
１１９      ガラス溶融プローブ
１２１      溶融材料
１２３      スタンドパイプ
１２５      通信ライン
１２７      清澄用容器
１２９      第１の接続導管
１３１      混合用チャンバ
１３３      送達用容器
１３５      第２の接続導管
１３７      第３の接続導管
１３９      送達用パイプ
１４０      成形用容器
１４１      流入導管
１４５      基部
１４８      ガラスリボン１０３の第１の側方縁部
１４９      ガラス分割器
１５０      ガラスリボン１０３の第２の側方縁部
１５１      分割経路
１５２      中央部分
１５３      分割済みガラスリボン１０４の第１の側方縁部
１５４      ドロー方向
１５５      分割済みガラスリボン１０４の第２の側方縁部
１５６      方向
１６３、１６４      縁部方向決定器
２０１    トラフ
２０３、２０４      堰
２０５、２０６      堰２０３、２０４の外面
２０７、２０８      下向きに傾斜して集束する表面部分
２０９      成形用ウェッジ
２１０、２１１      成形用ウェッジ２０９の端部
２１３      ドロー平面
２１５      第１の大面
２１６      第２の大面
３０１      ガラス処理装置
３０３      ローラ
３０５      移動方向
３０７      移動経路
３０９      上流アプリケータ
３１１      下流アプリケータ
３１２      上流縁部
３１３      上流アプリケータ３０９の裏材部分
３１５      上流アプリケータ３０９の係合部分
３１７      チャネル
３１９      第１の表面
３２１      下流縁部
３２３      下流アプリケータ３１１の裏材部分
３２５      下流アプリケータ３１１の係合部分
３２７      チャネル
３２９      第２の表面
３３３      側面アプリケータ
３３５      側面アプリケータの第１の列
３３７      側面アプリケータの第２の列
３４１      第１の横方向経路
３４３      第２の横方向経路
３４７      横方向
５０１      下流方向
５０３      回転方向
５０５      第１の垂直方向
５０７      第２の垂直方向
６０１      上流方向
６０３      回転方向
７０１      回転方向
８０１      回転方向
１１０１    本体
１１０３    リザーバ
１１０５    導管
１１０６    先端
１１０７    第１の壁
１１０９    第２の壁
１１１１    チャネル
１２００    側面アプリケータ
１２０１    本体
１２０３    シャフト
１２０５    側方表面
１２０７    回転軸
１２１１    回収リザーバ
１３００    アプリケータ
１３０１    本体
１３０３    リザーバ
１３０５    ゲート
１３０７    側方表面
１３０９    回収リザーバ
【図１】
2022500342.tif 000003
【図２】
2022500342.tif 000004
【図３】
2022500342.tif 000005
【図４】
2022500342.tif 000006
【図５】
2022500342.tif 000007
【図６】
2022500342.tif 000008
【図７】
2022500342.tif 000009
【図８】
2022500342.tif 000010
【図９】
2022500342.tif 000011
【図１０】
2022500342.tif 000012
【図１１】
2022500342.tif 000013
【図１２】
2022500342.tif 000014
【図１３】
2022500342.tif 000015
【国際調査報告】
2022500342.tif 000016
2022500342.tif 000017
2022500342.tif 000018